(57)【要約】【課題】貯玉残高移行処理時に当日持玉及び貯玉残高の累積加算結果が貯玉上限閾値を超過したとしても、当日持玉の貯玉不可による各種弊害を回避する。【解決手段】遊技客が遊技店に預け入れた貯玉残高を管理する会員管理装置５と、遊技客が獲得した遊技玉を遊技台で計数する計数結果として得られた当日持玉を管理するカード管理装置とを、会員カードに関連付けて管理する遊技台管理システムであって、当日持玉を貯玉残高に累積加算してカード管理装置側の当日持玉を貯玉残高に移行する会員管理制御部３０を有し、会員管理制御部３０は、当日持玉及び貯玉残高の累積加算結果が貯蓄上限閾値を超えたか否かを判定する貯玉上限閾値判定部３２と、当日持玉及び貯玉残高の累積加算結果が貯玉上限閾値を超えた場合、当該会員の会員カードに対応付けて使用制限フラグをＯＮ設定する会員カード使用制限設定部３３とを有している。【選択図】図５
2010213991.tif 000002
【特許請求の範囲】
【請求項１】
遊技客が遊技店に預け入れた貯蓄遊技媒体数と、遊技台毎の遊技媒体計数手段を通じて遊技客が獲得した遊技媒体を計数し、その計数結果として得られた保有遊技媒体数とを、前記遊技客に付与された会員用記録媒体に関連付けて管理する遊技媒体管理システムであって、
所定のタイミングに応じて前記保有遊技媒体数を前記貯蓄遊技媒体数に累積加算して前記保有遊技媒体数を前記貯蓄遊技媒体数に移行する移行手段と、
前記移行手段による前記保有遊技媒体数及び前記貯蓄遊技媒体数の累積加算結果が貯蓄上限閾値を超えたか否かを判定する判定手段と、
前記判定手段にて前記保有遊技媒体数及び前記貯蓄遊技媒体数の累積加算結果が前記貯蓄上限閾値を超えた場合、当該会員の会員用記録媒体に対応付けて特定識別子を付与管理する管理手段と
を有することを特徴とする遊技媒体管理システム。
【請求項２】
前記判定手段にて前記保有遊技媒体数及び前記貯蓄遊技媒体数の累積加算結果が前記貯蓄上限閾値を超えた場合、この会員用記録媒体の使用を制限する記録媒体使用制限設定手段を有することを特徴とする請求項１記載の遊技媒体管理システム。
【請求項３】
前記会員用記録媒体の使用制限は、
前記会員用記録媒体の使用を禁止することを特徴とする請求項２記載の遊技媒体管理システム。
【請求項４】
前記記録媒体使用制限設定手段にて前記会員用記録媒体の使用制限中に、記録媒体取扱装置を通じて前記会員用記録媒体の取扱要求を検出すると、警告を報知する警告報知手段を有することを特徴とする請求項２又は３記載の遊技媒体管理システム。
【請求項５】
記録媒体取扱装置を通じて前記会員用記録媒体の取扱中に前記会員用記録媒体に対応する貯蓄遊技媒体数が貯蓄上限閾値を超えた場合、警告を報知する警告報知手段を有することを特徴とする請求項１〜４の何れか一に記載の遊技媒体管理システム。
【請求項６】
前記会員用記録媒体に対応する前記貯蓄遊技媒体数が前記貯蓄上限閾値未満の所定警告水準閾値を超えたか否かを判定する所定警告水準閾値判定手段を有し、
前記警告報知手段は、
前記記録媒体取扱装置を通じて前記会員用記録媒体の取扱中に、前記所定警告水準閾値判定手段にて前記会員用記録媒体に対応する貯蓄遊技媒体数が前記所定警告水準閾値を超えた場合、警告を報知することを特徴とする請求項４又は５記載の遊技媒体管理システム。
【請求項７】
前記会員用記録媒体に対応する前記保有遊技媒体数及び前記貯蓄遊技媒体数の累積加算結果が前記貯蓄上限閾値未満の所定警告水準閾値を超えたか否かを判定する所定警告水準閾値判定手段を有し、
前記警告報知手段は、
前記記録媒体取扱装置を通じて前記会員用記録媒体の取扱中に、前記所定警告水準閾値判定手段にて前記会員用記録媒体に対応する前記保有遊技媒体数及び前記貯蓄遊技媒体数の累積加算結果が前記所定警告水準閾値を超えた場合、警告を報知することを特徴とする請求項４又は５記載の遊技媒体管理システム。
【請求項８】
前記会員用記録媒体に対応する前記保有遊技媒体数及び前記貯蓄遊技媒体数の累積加算結果が前記貯蓄上限閾値を超えたか否かを判定する貯蓄上限閾値判定手段を有し、
前記警告報知手段は、
前記記録媒体取扱装置を通じて前記会員用記録媒体の取扱中に、前記貯蓄上限閾値判定手段にて前記会員用記録媒体に対応する前記保有遊技媒体数及び前記貯蓄遊技媒体数の累積加算結果が前記貯蓄上限閾値を超えた場合、警告を報知することを特徴とする請求項４〜７の何れか一に記載の遊技媒体管理システム。
【請求項９】
前記判定手段にて前記会員用記録媒体に対応する前記保有遊技媒体数及び前記貯蓄遊技媒体数の累積加算結果が前記貯蓄上限閾値を超えた場合、この会員用記録媒体の会員に対応した宛先情報に基づき、通信回線を通じて、この会員に対してメッセージを通知するメッセージ通知手段を有することを特徴とする請求項１〜８の何れか一に記載の遊技媒体管理システム。
【請求項１０】
遊技客が遊技店に預け入れた貯蓄遊技媒体数と、遊技台毎の遊技媒体計数手段を通じて遊技客が獲得した遊技媒体を計数し、その計数結果として得られた保有遊技媒体数とを、前記遊技客に付与された会員用記録媒体に関連付けて管理する遊技媒体管理システムであって、
所定のタイミングに応じて前記保有遊技媒体数を前記貯蓄遊技媒体数に累積加算して前記保有遊技媒体数を前記貯蓄遊技媒体数に移行する移行手段と、
前記移行手段による前記保有遊技媒体数及び前記貯蓄遊技媒体数の累積加算結果が貯蓄上限閾値を超えたか否かを判定する判定手段と、
前記判定手段にて前記保有遊技媒体数及び前記貯蓄遊技媒体数が前記貯蓄上限閾値を超えた場合、前記累積加算結果の内、前記貯蓄上限閾値を超えた分の遊技媒体数を前記会員用記録媒体に対応付けて景品交換可能遊技媒体数として管理する管理手段と
を有することを特徴とする遊技媒体管理システム。
【請求項１１】
遊技客が遊技店に預け入れた貯蓄遊技媒体数と、遊技台毎の遊技媒体計数手段を通じて遊技客が獲得した遊技媒体を計数し、その計数結果として得られた保有遊技媒体数とを、前記遊技客に付与された会員用記録媒体に関連付けて管理する遊技媒体管理方法であって、
所定のタイミングで前記保有遊技媒体数を前記貯蓄遊技媒体数に累積加算して前記保有遊技媒体数を前記貯蓄遊技媒体数に移行する移行ステップと、
前記移行ステップによる前記保有遊技媒体数及び前記貯蓄遊技媒体数の累積加算結果が貯蓄上限閾値を超えたか否かを判定する判定ステップと、
前記判定ステップにて前記保有遊技媒体数及び前記貯蓄遊技媒体数の累積加算結果が前記貯蓄上限閾値を超えた場合、当該会員の会員用記録媒体に対応付けて特定識別子を付与管理する管理ステップと
を含むことを特徴とする遊技媒体管理方法。
【請求項１２】
前記判定ステップにて前記保有遊技媒体数及び前記貯蓄遊技媒体数の累積加算結果が前記貯蓄上限閾値を超えた場合、この会員用記録媒体の使用を制限する記録媒体使用制限設定ステップを含むことを特徴とする請求項１１記載の遊技媒体管理方法。
【発明の詳細な説明】
【技術分野】
【０００１】
本発明は、遊技店内の遊技台で獲得した遊技媒体を貯蓄する貯蓄機能を備えた遊技媒体管理システム及び遊技媒体管理方法に関する。
【背景技術】
【０００２】
近年、遊技店では、店内の遊技台で獲得した遊技玉を景品交換することなく、遊技店に預け入れることができる貯玉管理システムが知られている。
【０００３】
このような貯玉管理システムとしては、遊技客が遊技台で獲得した遊技玉を貯玉として遊技店に預け入れることができ、その遊技客は、貯玉残高から遊技玉を好きなときに引き出して再プレイを行うことができ、しかも、貯玉残高から景品交換を行うこともできる(例えば、特許文献１、特許文献２及び特許文献３参照)。
【０００４】
また、貯玉管理システムは、主に遊技店で会員登録した会員にのみ提供されるサービスであって、会員の会員ＩＤに対応付けて貯玉残高を管理し、遊技台で獲得した遊技玉を貯玉する際、会員ＩＤを識別する会員カードを使用し、島端に配置した玉計数機や景品カウンタに配置した景品管理機を通じて計数した遊技玉を会員ＩＤに対応付けて貯玉管理するものである。
【０００５】
しかしながら、遊技客による貯玉上限を無制限にしてしまうと、貯玉数の増加に伴い遊技店側で準備すべき現金も膨大な金額になってしまうことから、遊技店で貯玉できる貯玉残高の上限を設定している。
【０００６】
また、近年、遊技客及び遊技店の二者以外の第三者機関が遊技客の貯玉を管理し、例えば、遊技店が倒産した場合でも、第三者機関が消費者保護の観点から遊技客の貯玉を補償するサービスが普及している。
【０００７】
しかしながら、第三者機関の貯玉補償サービスを採用したとしても、貯玉補償枠を無制限にするのではなく、その貯玉残高の上限を設定することで、第三者機関の債権上限を一定額に抑制している。
【０００８】
また、近年、遊技店では、島端等に配置される玉計数機での玉計数を不要化する観点から、各遊技台に併設される台間の玉貸出機が玉計数機能を備え、この玉計数機能で獲得玉を計数し、その計数結果を持玉として記憶管理し、持玉数範囲内で再プレイを行うことができる各台計数システムが知られている（例えば、特許文献４参照）。
【０００９】
このような各台計数システムでは、遊技店に登録した会員の場合、現在のプリペイド残額及び当日持玉を会員カードに記録し、その会員カードを遊技客に返却すると共に、会員カードがない非会員や会員カードを持参しない会員の場合でも、現在のプリペイド残額及び当日持玉を記録した一般カードを遊技客に返却するようにしている。
【００１０】
また、遊技業界では、獲得した持玉に有効期限を設定し、会員カードで遊技した会員の場合、会員自身が意識することなく、遊技店売上の締上げを実行する当日閉店処理時や翌日の開店処理時に、会員カードに紐付けて管理する当日持玉を貯玉残高に累積加算更新、すなわち、当日持玉を貯玉残高に移行する。これに対し、会員カードで遊技しなかった会員の場合、その一般カードが計数レシートと同一の扱いとなるため、当日持玉は当日限定の持玉となることから、この当日持玉を貯玉残高に移行する場合には、わざわざカウンタに赴き、オペレータによる貯玉処理を経て当日持玉を貯玉残高に移行するシステムを採用している。
【００１１】
尚、会員であっても、一般カードの場合、当日持玉は当日限定の持玉となるため、オペレータによる貯玉処理を経なければ、当日持玉は無効にしてしまうのが運用である。
【先行技術文献】
【特許文献】
【００１２】
【特許文献１】特開２００６−１２９９２８号公報
【特許文献２】特開２００７−６８６４８号公報
【特許文献３】特開２００８−８６４３２号公報
【特許文献４】特開２００７−２２９１１１号公報
【発明の概要】
【発明が解決しようとする課題】
【００１３】
しかしながら、特許文献１〜３の貯玉管理システム及び特許文献４の各台計数システム両方を導入した遊技玉管理システムでは、会員の場合、その会員に付与した会員カードの会員ＩＤに対応付けて貯玉残高及び当日持玉が存在し、当日閉店処理時に当日持玉を貯玉残高に累積加算更新、すなわち、当日持玉を貯玉残高に移行することになるが、当日持玉及び貯玉残高の累積加算結果が貯玉上限閾値を超えた場合、その当日持玉の貯玉を不可としてしまうことで、例えば、当日持玉を無効にしてしまうような各種弊害が生じる。
【００１４】
本発明は上記点に鑑みてなされたものであり、その目的とするところは、当日持玉（保有遊技媒体数）を貯玉残高(貯蓄遊技媒体数)に自動的に累積加算更新する当日持玉の貯玉残高への移行に際し、当日持玉及び貯玉残高の累積加算結果が貯玉上限閾値を超過したとしても、当日持玉の貯玉不可による各種弊害を回避できる遊技媒体管理システム及び遊技媒体管理方法を提供することにある。
【課題を解決するための手段】
【００１５】
上記目的を達成するために本発明の遊技媒体管理システムは、遊技客が遊技店に預け入れた貯蓄遊技媒体数と、遊技台毎の遊技媒体計数手段を通じて遊技客が獲得した遊技媒体を計数し、その計数結果として得られた保有遊技媒体数とを、前記遊技客に付与された会員用記録媒体に関連付けて管理する遊技媒体管理システムであって、所定のタイミングに応じて前記保有遊技媒体数を前記貯蓄遊技媒体数に累積加算して前記保有遊技媒体数を前記貯蓄遊技媒体数に移行する移行手段と、前記移行手段による前記保有遊技媒体数及び前記貯蓄遊技媒体数の累積加算結果が貯蓄上限閾値を超えたか否かを判定する判定手段と、前記判定手段にて前記保有遊技媒体数及び前記貯蓄遊技媒体数の累積加算結果が前記貯蓄上限閾値を超えた場合、当該会員の会員用記録媒体に対応付けて特定識別子を付与管理する管理手段とを有することを要件とする。
【００１６】
また、本発明の遊技媒体管理システムは、上記発明の構成において、前記判定手段にて前記保有遊技媒体数及び前記貯蓄遊技媒体数の累積加算結果が前記貯蓄上限閾値を超えた場合、この会員用記録媒体の使用を制限する記録媒体使用制限設定手段を有することを要件とする。
【００１７】
また、本発明の遊技媒体管理システムは、上記発明の構成において、前記会員用記録媒体の使用制限は、前記会員用記録媒体の使用を禁止することを要件とする。
【００１８】
また、本発明の遊技媒体管理システムは、上記発明の構成において、前記記録媒体使用制限設定手段にて前記会員用記録媒体の使用制限中に、記録媒体取扱装置を通じて前記会員用記録媒体の取扱要求を検出すると、警告を報知する警告報知手段を有することを要件とする。
【００１９】
また、本発明の遊技媒体管理システムは、上記発明の構成において、記録媒体取扱装置を通じて前記会員用記録媒体の取扱中に前記会員用記録媒体に対応する貯蓄遊技媒体数が貯蓄上限閾値を超えた場合、警告を報知する警告報知手段を有することを要件とする。
【００２０】
また、本発明の遊技媒体管理システムは、上記発明の構成において、前記会員用記録媒体に対応する前記貯蓄遊技媒体数が前記貯蓄上限閾値未満の所定警告水準閾値を超えたか否かを判定する所定警告水準閾値判定手段を有し、前記警告報知手段は、前記記録媒体取扱装置を通じて前記会員用記録媒体の取扱中に、前記所定警告水準閾値判定手段にて前記会員用記録媒体に対応する貯蓄遊技媒体数が前記所定警告水準閾値を超えた場合、警告を報知することを要件とする。
【００２１】
また、本発明の遊技媒体管理システムは、上記発明の構成において、前記会員用記録媒体に対応する前記保有遊技媒体数及び前記貯蓄遊技媒体数の累積加算結果が前記貯蓄上限閾値未満の所定警告水準閾値を超えたか否かを判定する所定警告水準閾値判定手段を有し、前記警告報知手段は、前記記録媒体取扱装置を通じて前記会員用記録媒体の取扱中に、前記所定警告水準閾値判定手段にて前記会員用記録媒体に対応する前記保有遊技媒体数及び前記貯蓄遊技媒体数の累積加算結果が前記所定警告水準閾値を超えた場合、警告を報知することを要件とする。
【００２２】
また、本発明の遊技媒体管理システムは、上記発明の構成において、前記会員用記録媒体に対応する前記保有遊技媒体数及び前記貯蓄遊技媒体数の累積加算結果が前記貯蓄上限閾値を超えたか否かを判定する貯蓄上限閾値判定手段を有し、前記警告報知手段は、前記記録媒体取扱装置を通じて前記会員用記録媒体の取扱中に、前記貯蓄上限閾値判定手段にて前記会員用記録媒体に対応する前記保有遊技媒体数及び前記貯蓄遊技媒体数の累積加算結果が前記貯蓄上限閾値を超えた場合、警告を報知することを要件とする。
【００２３】
また、本発明の遊技媒体管理システムは、上記発明の構成において、前記判定手段にて前記会員用記録媒体に対応する前記保有遊技媒体数及び前記貯蓄遊技媒体数の累積加算結果が前記貯蓄上限閾値を超えた場合、この会員用記録媒体の会員に対応した宛先情報に基づき、通信回線を通じて、この会員に対してメッセージを通知するメッセージ通知手段を有することを要件とする。
【００２４】
また、上記目的を達成するために本発明の遊技媒体管理システムは、遊技客が遊技店に預け入れた貯蓄遊技媒体数と、遊技台毎の遊技媒体計数手段を通じて遊技客が獲得した遊技媒体を計数し、その計数結果として得られた保有遊技媒体数とを、前記遊技客に付与された会員用記録媒体に関連付けて管理する遊技媒体管理システムであって、所定のタイミングに応じて前記保有遊技媒体数を前記貯蓄遊技媒体数に累積加算して前記保有遊技媒体数を前記貯蓄遊技媒体数に移行する移行手段と、前記移行手段による前記保有遊技媒体数及び前記貯蓄遊技媒体数の累積加算結果が貯蓄上限閾値を超えたか否かを判定する判定手段と、前記判定手段にて前記保有遊技媒体数及び前記貯蓄遊技媒体数が前記貯蓄上限閾値を超えた場合、前記累積加算結果の内、前記貯蓄上限閾値を超えた分の遊技媒体数を前記会員用記録媒体に対応付けて景品交換可能遊技媒体数として管理する管理手段とを有することを要件とする。
【００２５】
また、上記目的を達成するために本発明の遊技媒体管理方法は、遊技客が遊技店に預け入れた貯蓄遊技媒体数と、遊技台毎の遊技媒体計数手段を通じて遊技客が獲得した遊技媒体を計数し、その計数結果として得られた保有遊技媒体数とを、前記遊技客に付与された会員用記録媒体に関連付けて管理する遊技媒体管理方法であって、所定のタイミングで前記保有遊技媒体数を前記貯蓄遊技媒体数に累積加算して前記保有遊技媒体数を前記貯蓄遊技媒体数に移行する移行ステップと、前記移行ステップによる前記保有遊技媒体数及び前記貯蓄遊技媒体数の累積加算結果が貯蓄上限閾値を超えたか否かを判定する判定ステップと、前記判定ステップにて前記保有遊技媒体数及び前記貯蓄遊技媒体数の累積加算結果が前記貯蓄上限閾値を超えた場合、当該会員の会員用記録媒体に対応付けて特定識別子を付与管理する管理ステップとを含むことを要件とする。
【００２６】
また、本発明の遊技媒体管理方法は、上記方法において、前記判定ステップにて前記保有遊技媒体数及び前記貯蓄遊技媒体数の累積加算結果が前記貯蓄上限閾値を超えた場合、この会員用記録媒体の使用を制限する記録媒体使用制限設定ステップを含むことを要件とする。
【発明の効果】
【００２７】
上記のように構成された本発明の遊技媒体管理システムでは、所定のタイミングに応じて保有遊技媒体数を貯蓄遊技媒体数に累積加算して前記保有遊技媒体数を前記貯蓄遊技媒体数に移行する際に、前記保有遊技媒体数及び前記貯蓄遊技媒体数の累積加算結果が貯蓄上限閾値を超えた場合、当該会員の会員用記録媒体に対応付けて特定識別子を付与管理するようにした。その結果、保有遊技媒体数を貯蓄遊技媒体数に累積加算して前記保有遊技媒体数の前記貯蓄遊技媒体数への移行を実行する際に、貯蓄遊技媒体数及び保有遊技媒体数の累積加算結果が貯蓄上限閾値を超えたとしても、保有遊技媒体数の貯蓄遊技媒体数への貯蓄を許容することで保有遊技媒体数の貯蓄不可による各種弊害を回避できると共に、会員用記録媒体に対応付けた特定識別子を付与管理することで、貯蓄上限閾値を超過しながら、継続的に遊技媒体数が貯蓄されてしまうような事態にも十分対処できるという効果を奏する。
【００２８】
また、本発明の遊技媒体管理システムでは、上記発明の効果に加えて、貯蓄遊技媒体数及び保有遊技媒体数の累積加算結果が貯蓄上限閾値を超えた場合、この会員用記録媒体の使用を制限するようにしたので、会員は、会員用記録媒体の使用が制限されることで、貯蓄遊技媒体数が貯蓄上限閾値を超えたことを認識できると共に、遊技店側では、貯蓄上限閾値を超えながら、継続的に遊技媒体数が貯蓄されてしまうような事態を回避できるという効果を奏する。
【００２９】
また、本発明の遊技媒体管理システムでは、上記発明の効果に加えて、会員用記録媒体の使用制限は、会員用記録媒体の使用を禁止するようにしたので、遊技店側では、貯蓄上限閾値を超えながら、継続的に遊技媒体数が貯蓄されてしまうような事態を確実に回避できるという効果を奏する。
【００３０】
また、本発明の遊技媒体管理システムでは、上記発明の効果に加えて、会員用記録媒体の使用制限中に、記録媒体取扱装置を通じて会員用記録媒体の取扱要求を検出すると、例えば、貯蓄上限閾値超過や貯蓄上限閾値超過による会員用記録媒体の使用制限中を知らせる警告を報知するようにしたので、会員は、警告に基づき、貯蓄上限閾値の超過や、貯蓄上限閾値超過による会員用記録媒体の使用制限中を認識できると共に、遊技店内の係員は、その警告に基づき、使用制限中の会員用記録媒体の使用を認識できるという効果を奏する。
【００３１】
また、本発明の遊技媒体管理システムでは、上記発明の効果に加えて、記録媒体取扱装置を通じて会員用記録媒体の取扱中に会員用記録媒体に対応する貯蓄遊技媒体数が貯蓄上限閾値を超えた場合、例えば、貯蓄上限閾値超過を知らせる警告を報知するようにしたので、会員は、会員用記録媒体の取扱中に、警告に基づき、貯蓄上限閾値超過を認識できると共に、遊技店側では、会員に対して、例えば、貯蓄遊技媒体数を減らす景品交換を促すことができるという効果を奏する。
【００３２】
また、本発明の遊技媒体管理システムでは、上記発明の効果に加えて、記録媒体取扱装置を通じて会員用記録媒体の取扱中に、会員用記録媒体に対応する貯蓄遊技媒体数が、例えば、貯蓄上限閾値直前の所定警告水準閾値を超えた場合、貯蓄上限閾値直前である旨を示す警告を報知するようにしたので、会員は、会員用記録媒体の取扱中に、警告に基づき、貯蓄遊技媒体数が貯蓄上限閾値直前に到達したことを認識できるという効果を奏する。
【００３３】
また、本発明の遊技媒体管理システムでは、上記発明の効果に加えて、記録媒体取扱装置を通じて会員用記録媒体の取扱中に、会員用記録媒体に対応する貯蓄遊技媒体数及び保有遊技媒体数の累積加算結果が、例えば、貯蓄上限閾値直前の所定警告水準閾値を超えた場合、貯蓄上限閾値直前である旨を示す警告を報知するようにしたので、会員は、会員用記録媒体の取扱中に、警告に基づき、貯蓄遊技媒体数及び保有遊技媒体数の累積加算結果が貯蓄上限閾値直前に到達したことを認識できるという効果を奏する。
【００３４】
また、本発明の遊技媒体管理システムでは、上記発明の効果に加えて、記録媒体取扱装置を通じて会員用記録媒体の取扱中に、会員用記録媒体に対応する貯蓄遊技媒体数及び保有遊技媒体数の累積加算結果が貯蓄上限閾値を超えた場合、例えば、貯蓄上限閾値に到達した旨を示す警告を報知するようにしたので、会員は、会員用記録媒体の取扱中に、警告に基づき、貯蓄遊技媒体数及び保有遊技媒体数の累積加算結果が貯蓄上限閾値に到達したことを認識できるという効果を奏する。
【００３５】
また、本発明の遊技媒体管理システムでは、上記発明の効果に加えて、会員用記録媒体に対応する貯蓄遊技媒体数及び保有遊技媒体数の累積加算結果が貯蓄上限閾値を超えた場合、この会員用記録媒体の会員に対応した宛先情報に基づき、通信回線を通じて、例えば、貯蓄上限閾値超過を示すメッセージを通知するようにしたので、会員は、記録媒体取扱装置で会員用記録媒体を使用しなくても、遊技店に赴くことなく、メッセージに基づき、貯蓄上限閾値超過を認識できるという効果を奏する。
【００３６】
また、上記のように構成された本発明の遊技媒体管理システムでは、所定のタイミングに応じて保有遊技媒体数を貯蓄遊技媒体数に累積加算して前記保有遊技媒体数を前記貯蓄遊技媒体数に移行する際に、前記保有遊技媒体数及び前記貯蓄遊技媒体数の累積加算結果が貯蓄上限閾値を超えた場合、貯蓄遊技媒体数及び保有遊技媒体数の累積加算結果の内、貯蓄上限閾値を超えた分の遊技媒体数を会員用記録媒体に対応付けて景品交換可能遊技媒体数として管理する。その結果、保有遊技媒体数を貯蓄遊技媒体数に累積加算して前記保有遊技媒体数の前記貯蓄遊技媒体数への移行を実行する際、貯蓄遊技媒体数及び保有遊技媒体数の累積加算結果が貯蓄上限閾値を超えたとしても、貯蓄上限閾値を超えた分を景品交換可能遊技媒体数として管理することで、保有遊技媒体数の貯蓄不可による各種弊害を回避できると共に、貯蓄上限閾値を超過しながら、継続的に遊技媒体数が貯蓄されてしまうような事態にも十分対処できるという効果を奏する。
【００３７】
また、上記のように構成された本発明の遊技媒体管理方法では、所定のタイミングに応じて保有遊技媒体数を貯蓄遊技媒体数に累積加算して前記保有遊技媒体数を前記貯蓄遊技媒体数に移行する際に、前記保有遊技媒体数及び前記貯蓄遊技媒体数の累積加算結果が貯蓄上限閾値を超えた場合、当該会員の会員用記録媒体に対応付けて特定識別子を付与管理するようにした。その結果、保有遊技媒体数を貯蓄遊技媒体数に累積加算して前記保有遊技媒体数の前記貯蓄遊技媒体数への移行を実行する際、貯蓄遊技媒体数及び保有遊技媒体数の累積加算結果が貯蓄上限閾値を超えたとしても、貯蓄を許容することで保有遊技媒体数の貯蓄不可による各種弊害を回避できると共に、会員用記録媒体に対応付けた特定識別子を付与管理することで、貯蓄上限閾値を超過しながら、継続的に遊技媒体数が貯蓄されてしまうような事態にも十分対処できるという効果を奏する。
【００３８】
また、本発明の遊技媒体管理方法では、上記発明の効果に加えて、貯蓄遊技媒体数及び保有遊技媒体数の累積加算結果が貯蓄上限閾値を超えた場合、この会員用記録媒体の使用を制限するようにしたので、会員は、会員用記録媒体の使用が制限されることで、貯蓄遊技媒体数が貯蓄上限閾値を超えたことを認識できると共に、遊技店側では、貯蓄上限閾値を超えながら、継続的に遊技媒体数が貯蓄されてしまうような事態を回避できるという効果を奏する。
【図面の簡単な説明】
【００３９】
【図１】図１は、実施例１の遊技台管理システム全体の概略構成を示すブロック図である。
【図２】図２は、カード管理装置内部の概略構成を示すブロック図である。
【図３】図３は、カード管理装置内部のプリペイド残額ＤＢの管理内容を端的に示す説明図である。
【図４】図４は、カード管理装置内部の持玉ＤＢの管理内容を端的に示す説明図である。
【図５】図５は、実施例１の要部である会員管理装置内部の概略構成を示すブロック図である。
【図６】図６は、会員管理装置内部の会員管理ＤＢの管理内容を端的に示す説明図である。
【図７】図７は、会員管理装置内部の貯玉残高ＤＢの管理内容を端的に示す説明図である。
【図８】図８は、会員管理装置内部の使用制限フラグＤＢの管理内容を端的に示す説明図である。
【図９】図９は、各台計数機能を内蔵した玉貸出機の正面図である。
【図１０】図１０は、自動貯玉に関わる遊技台管理システムの動作遷移を端的に示す説明図である。
【図１１】図１１は、実施例１の貯玉残高移行処理に関わる会員管理装置側の処理動作を示すフローチャートである。
【図１２】図１２は、実施例１の会員カード受付処理に関わる会員管理装置側の処理動作を示すフローチャートである。
【図１３】図１３は、実施例２の要部である会員管理装置内部の概略構成を示すブロック図である。
【図１４】図１４は、会員管理装置内部の持玉管理ＤＢの管理内容を端的に示す説明図である。
【図１５】図１５は、実施例２の貯玉残高移行処理に関わる会員管理装置側の処理動作を示すフローチャートである。
【図１６】図１６は、実施例２の会員カード受付処理に関わる会員管理装置側の処理動作を示すフローチャートである。
【発明を実施するための形態】
【００４０】
以下、図面に基づき本発明の遊技媒体管理システム及び遊技媒体管理方法に関わる実施例について詳細に説明する。
【００４１】
まず、最初に本実施例の概要を説明するとすれば、その概要は、会員に付与した会員カード毎に貯玉残高を管理する会員管理装置と、会員カード毎に当日持玉を管理するカード管理装置とを有するシステムであって、会員管理装置で管理する貯玉残高にカード管理装置で管理する当日持玉を累積加算するような、当日持玉の貯玉残高への移行に際し、会員の貯玉残高及び当日持玉の累積加算結果が貯玉上限閾値を超えた場合、当日持玉の貯玉残高への移行を許容しながら、会員の会員カードに対応付けて貯玉上限閾値超過及び会員カード使用制限を示す使用制限フラグをＯＮ設定するようにした。
【００４２】
更に、本実施例では、貯玉残高及び当日持玉の累積加算結果が貯玉上限閾値を超えた場合、この会員カードの使用を制限するようにした。
【００４３】
その結果、本実施例では、貯玉残高移行処理時に会員カードに対応する貯玉残高及び当日持玉の累積加算結果が貯玉上限閾値を超えた場合、当日持玉の貯玉残高への移行を許容しながら、会員カードに対応付けて貯玉上限閾値超過及び会員カード使用制限を示す使用制限フラグをＯＮ設定するようにしたので、貯玉残高移行処理実行時に貯玉上限閾値を超えたとしても、当日持玉の貯玉残高への移行を許容することで、当日持玉の貯玉不可による各種弊害を回避できると共に、使用制限フラグをＯＮ設定することで、貯玉上限閾値を超過しながら、継続的に貯玉してしまうような事態にも十分対応することができるというものである。
【００４４】
更に、本実施例では、貯玉残高及び当日持玉の累積加算結果が貯玉上限閾値を超えた場合、その会員カードの使用を制限するようにしたので、会員は、会員カードの使用を制限されることで、貯玉残高が貯玉上限閾値を超えたことを認識できるというものである。
【実施例１】
【００４５】
図１は、実施例１の遊技台管理システム全体の概略構成を示すブロック図である。
【００４６】
図１に示す遊技台管理システム１は、複数の遊技台１１０と、遊技台１１０毎に併設し、入金操作、カードの挿入操作に応じて遊技玉を貸し出す玉貸出機能や、貯玉残高から持玉を引き出す再プレイ機能を有する玉貸出機３と、遊技台１１０及び玉貸出機３を配置した遊技島毎の中継機能を司る島コントローラ１２０と、景品の交換処理や在庫管理を行う景品管理機１３０と、特殊景品を払い出す景品払出機１４０と、図示せぬ島端の島端計数機に併設し、オペレータ操作で貯玉登録するカード処理機１５０と、会員カードや一般カード等の現在プリペイド残額を精算するカード精算機１６０と、会員カードや一般カードの各種情報を管理するカード管理装置４と、会員の各種情報を管理する会員管理装置５とを有している。
【００４７】
また、遊技台管理システム１は、島コントローラ１２０、景品管理機１３０、カード処理機１５０、カード精算機１６０、カード管理装置４及び会員管理装置５間をＬＡＮ(Ｌｏｃａｌ  Ａｒｅａ  Ｎｅｔｗｏｒｋ)６で接続し、これら島コントローラ１２０、景品管理機１３０、カード処理機１５０、カード精算機１６０、カード管理装置４及び会員管理装置５間のデータ通信を実現している。
【００４８】
景品管理機１３０は、会員の場合、遊技店内の景品交換カウンタに配置した景品交換用の端末装置である。具体的には、景品交換カウンタ内のオペレータが、例えば、図示せぬ島端計数機から印字出力された獲得玉の計数レシートや計数カード（一般カードや会員カード）を遊技客から受け取ると、これら計数レシートや計数カードの獲得玉に基づき、獲得玉数分の一般景品をオペレータによる手作業で遊技客に受け渡すものである。尚、計数カードとしては、玉貸出機３の後述する各台計数機能で記録した獲得玉の計数カードも含むものである。
【００４９】
また、遊技客が特殊景品への交換を希望する場合、オペレータは、景品管理機１３０に設けた特殊景品交換ボタンを押下し、景品払出機１４０に獲得玉数分の特殊景品の払い出しを指示するものである。 
【００５０】
また、景品管理機１３０では、計数レシートや一般カードから読み取った獲得玉数の一部又は全部を会員の貯玉残高に預け入れることもできる。例えば、オペレータが貯玉を希望する会員から計数レシート及び会員カードを受け取った場合、この会員カードを景品管理機１３０のカードリーダに挿入して、カードを識別するカードＩＤを読み取った後、貯玉操作を行って会員管理装置５に貯玉指示を行うものである。
【００５１】
カード処理機１５０は、会員カードによる貯玉を行う際に利用される会員用端末装置に相当し、会員カードに記録したカードＩＤを読み取るカードリーダ部（図示せぬ）を有している。カード処理機１５０は、カードＩＤに対応付けて島端計数機の計数結果を貯玉残高に加算更新する貯玉指示を会員管理装置５に行うものである。
【００５２】
図２は、カード管理装置４内部の概略構成を示すブロック図である。
【００５３】
図２に示すカード管理装置４は、ＬＡＮ６と通信接続するカード管理側通信インタフェース１１と、例えば、キーボードやマウス等の入力デバイスに相当し、各種情報を入力する入力部１２と、例えば、液晶パネルやディスプレイ等の表示デバイスに相当し、各種情報を出力する出力部１３と、例えば、ハードディスクや不揮発性メモリ等の記憶デバイスに相当し、会員カードや一般カード等のカードＩＤ単位で各種情報を管理するカード管理ＤＢ１４と、カード管理装置４全体を制御するカード管理制御部１５とを有している。
【００５４】
図３は、カード管理装置４内部のプリペイド残額ＤＢ１６の管理内容を端的に示す説明図、図４は、カード管理装置４内部の持玉ＤＢ１７の管理内容を端的に示す説明図である。
【００５５】
カード管理ＤＢ１４は、図３に示すように、カードＩＤ１６Ａ毎に現在プリペイド残額１６Ｂを管理するプリペイド残額ＤＢ１６と、図４に示すように、カードＩＤ１７Ａ毎に、遊技客が遊技台で獲得した遊技玉の玉貸出機３内部の玉計数部による計数結果を当日持玉１７Ｂとして管理する持玉ＤＢ１７とを有している。
【００５６】
カード管理制御部１５は、プリペイド残額ＤＢ１６内のカードＩＤ１６Ａ毎の現在プリペイド残額１６Ｂ及び、持玉ＤＢ１７内のカードＩＤ１７Ａ毎の当日持玉１７Ｂを集中管理している。
【００５７】
カード管理制御部１５は、例えば、玉貸出機３から持玉加算依頼（持玉更新依頼）を受け付けた場合、持玉加算依頼に含まれる該当カードのカードＩＤに基づき、持玉ＤＢ１７内の該当カードＩＤ１７Ａに対応した当日持玉１７Ｂに加算依頼玉数を加算更新するものである。尚、加算依頼玉数とは、例えば、玉貸出機３内部の玉計数部による獲得遊技玉の計数結果等に相当するものである。
【００５８】
また、カード管理制御部１５は、例えば、玉貸出機３から持玉減算依頼（持玉更新依頼）を受け付けた場合、持玉減算依頼に含まれる該当カードのカードＩＤに基づき、持玉ＤＢ１７内の該当するカードＩＤ１７Ａに対応した当日持玉１７Ｂから返却分の単位玉数等の減算依頼玉数を減算更新するものである。
【００５９】
図５は、実施例１の要部である会員管理装置５内部の概略構成を示すブロック図である。
【００６０】
図５に示す会員管理装置５は、ＬＡＮ６と通信接続する会員管理側通信インタフェース２１と、例えば、キーボードやマウス等の入力デバイスに相当し、各種情報を入力する入力部２２と、例えば、液晶パネルやディスプレイ等の表示デバイスに相当し、各種情報を出力する出力部２３と、例えば、ハードディスクや不揮発性メモリ等の記憶デバイスに相当し、会員に関わる各種情報を記憶管理する会員管理ＤＢ２４とを有している。
【００６１】
図６は、会員管理装置５内部の会員管理ＤＢ２４の管理内容を端的に示す説明図である。
【００６２】
図６に示す会員管理ＤＢ２４は、会員申込用紙への記入を通じて一定の個人情報が登録された会員の各種情報を記憶管理し、カードＩＤ２４Ａ毎に、会員種別２４Ｂ、属性情報２４Ｃ及び暗証番号２４Ｄを記憶したデータベースに相当するものである。尚、属性情報２４Ｃには、会員の電話番号、生年月日及びメールアドレス等が含まれるものである。
【００６３】
更に、図５に示す会員管理装置５は、カードＩＤ毎に貯玉残高を管理する貯玉残高ＤＢ２５と、カードＩＤ毎に使用制限フラグを管理する使用制限フラグＤＢ２６と、会員カードを取り扱うカード取扱装置に対して事前警告やエラー警告を報知する警告報知制御部２８と、カード取扱装置に対して会員カードの取扱を制御する会員カード取扱制御部２９と、会員管理装置５全体を制御する会員管理制御部３０とを有している。
【００６４】
図７は、会員管理装置５内部の貯玉残高ＤＢ２５の管理内容を端的に示す説明図、図８は、会員管理装置５内部の使用制限フラグＤＢ２６の管理内容を端的に示す説明図である。
【００６５】
図７に示す貯玉残高ＤＢ２５は、カードＩＤ２５Ａ毎に貯玉残高２５Ｂを管理し、カードＩＤ２５Ａに対応した会員カードの貯玉残高２５Ｂを管理している。
【００６６】
図８に示す使用制限フラグＤＢ２６は、カードＩＤ２６Ａ毎に使用制限フラグ２６Ｂを管理し、カードＩＤ２６Ａに対応した会員カードの使用制限フラグ２６Ｂを管理している。尚、使用制限フラグ２６Ｂとは、会員カードの使用制限の設定状況を示すフラグであって、ＯＮ中の場合、貯玉残高２５Ｂが貯玉上限閾値を超過したものと判断し、その会員カードの使用を禁止すると共に、ＯＦＦ中の場合、貯玉残高２５Ｂが貯玉上限閾値以内と判断し、通常通り、その会員カードの使用を許可するものである。尚、会員の貯玉上限閾値は、例えば、１００万円相当の貯玉数に設定した場合、例えば１玉４円の換算レートで２５万玉ということになる。
【００６７】
また、図５に示す会員管理制御部３０は、貯玉残高ＤＢ２５を管理制御する貯玉管理制御部３１を有している。
【００６８】
貯玉管理制御部３１は、カード処理機１５０又は景品管理機１３０を通じて貯玉加算依頼(貯玉更新依頼)を受け付けた場合、貯玉加算依頼に含まれる該当カードのカードＩＤに基づき、貯玉残高ＤＢ２５内の該当カードＩＤ２５Ａに対応した貯玉残高２５Ｂに加算依頼玉数を加算更新するものである。尚、加算依頼玉数とは、例えば、カード管理装置４内の持玉ＤＢ１７内の該当カードＩＤ１７Ａに対応した当日持玉１７Ｂに相当するものである。
【００６９】
また、貯玉管理制御部３１は、玉貸出機３又は景品管理機１３０から貯玉減算依頼（貯玉更新依頼）を受け付けた場合、貯玉減算依頼に含まれる該当カードのカードＩＤに基づき、貯玉残高２５Ｂ内の該当カードＩＤ２５Ａに対応した貯玉残高２５Ｂに減算依頼玉数を減算更新するものである。尚、減算依頼玉数とは、例えば、景品管理機１３０からの貯玉減算依頼の場合、景品相当分の玉数に相当し、例えば、玉貸出機３からの貯玉減算依頼の場合、再プレイ操作に応じて、該当する会員の貯玉残高２５Ｂから引出分の玉数単位に相当するものである。
【００７０】
また、貯玉管理制御部３１が貯玉残高ＤＢ２５内の該当カードＩＤ２５Ａに対応した貯玉残高２５Ｂに、カード管理装置４の持玉ＤＢ１７内の該当カードＩＤ１７Ａに対応した当日持玉１７Ｂを加算更新した場合、カード管理装置４内のカード管理制御部１５は、持玉ＤＢ１７内の該当カードＩＤ１７Ａに対応した当日持玉１７Ｂを零にするものである。
【００７１】
また、貯玉管理制御部３１は、例えば、当日閉店処理時にカード管理装置４の持玉ＤＢ１７から当日持玉１７ＢをカードＩＤ１７Ａ毎に取得し、カードＩＤ毎に当日持玉１７Ｂを貯玉残高ＤＢ２５内の該当カードＩＤ１７Ａに対応する貯玉残高２５Ｂに累積加算して当日持玉を貯玉残高に移行するものである。
【００７２】
また、会員管理制御部３０は、カードＩＤ毎に、貯玉残高２５Ｂ及び当日持玉１７Ｂを累積加算し、その累積加算結果が貯玉上限閾値を超えているか否かを判定する貯玉上限閾値判定部３２と、会員カードの使用制限有無を設定する会員カード使用制限設定部３３とを有している。
【００７３】
尚、会員管理制御部３０は、貯玉上限閾値判定部３２にてカードＩＤの貯玉残高２５Ｂ及び当日持玉１７Ｂの累積加算結果が貯玉上限閾値、例えば、２５万玉を超えた場合でも、貯玉残高移行処理において１回に限り、貯玉管理制御部３１を通じて、そのカードＩＤの貯玉残高２５Ｂに当日持玉１７Ｂを貯玉更新するものである。
【００７４】
会員カード使用制限設定部３３は、貯玉上限閾値判定部３２にてカードＩＤの貯玉残高２５Ｂ及び当日持玉１７Ｂの累積加算結果が貯玉上限閾値を超えた場合、使用制限フラグＤＢ２６内の該当カードＩＤ２６Ａに対応した使用制限フラグ２６ＢをＯＮ設定するものである。
【００７５】
また、会員カード使用制限設定部３３は、貯玉上限閾値判定部３２にてカードＩＤの貯玉残高２５Ｂ及び当日持玉１７Ｂの累積加算結果が貯玉上限閾値を超えなかった場合、使用制限フラグＤＢ２６内の該当カードＩＤ２６Ａに対応した使用制限フラグ２６ＢをＯＦＦ設定するものである。
【００７６】
また、会員管理制御部３０は、遊技店の営業中にカードＩＤ２６Ａに対応した使用制限フラグ２６ＢがＯＮ中であるか否かを判定する使用制限フラグ判定部３４を有している。
【００７７】
使用制限フラグ判定部３４は、遊技店営業中、例えば、カード取扱装置を通じて会員カードを検出すると、その会員カードのカードＩＤに基づき、使用制限フラグＤＢ２６内の該当カードＩＤ２６Ａに対応した使用制限フラグ２６ＢがＯＮ中であるか否かを判定するものである。
【００７８】
尚、カード取扱装置とは、例えば、玉貸出機３、島端計数機に併設したカード処理機１５０、カード精算機１６０の他に、再プレイ機、貯玉残高２５Ｂで飲料水やタバコ等を交換可能にする自販機子機等に相当するものである。
【００７９】
また、警告報知制御部２８は、使用制限フラグ判定部３４にて会員カードのカードＩＤ２６Ａに対応した使用制限フラグ２６ＢがＯＮ中の場合、例えば、貯玉上限閾値超過で会員カード使用禁止のため、会員に対して景品交換を要求する旨のエラー警告をカード取扱装置に指示するものである。尚、カード取扱装置では、エラー警告を表示や音声等で報知するものである。
【００８０】
また、会員カード取扱制御部２９は、使用制限フラグ判定部３４にて会員カードのカードＩＤ２６Ａに対応した使用制限フラグ２６ＢがＯＮ中の場合、会員カード使用禁止のため、カード取扱装置に対して会員カードの返却を指示するものである。尚、カード取扱装置では、会員カードを会員に返却するものである。
【００８１】
会員カード取扱制御部２９は、会員カードのカードＩＤ２６Ａに対応した使用制限フラグ２６ＢがＯＮ中の場合、又は、遊技店営業中に貯玉残高２５Ｂが貯玉上限閾値を超えた場合、会員カードの使用を禁止するため、例えば、玉貸出機３、島端計数機に併設したカード処理機１５０、カード精算機１６０、自販機子機や再プレイ機等のカード取扱装置での会員カードの使用を禁止するようにしたが、貯玉残高２５Ｂを確実に減らす方向に導く景品管理機１３０での会員カードの使用は許可するものである。
【００８２】
また、会員管理制御部３０は、会員カードのカードＩＤ２６Ａに対応した使用制限フラグ２６ＢがＯＮ中の場合、又は、遊技店営業中に貯玉残高２５Ｂが貯玉上限閾値を超えた場合、会員カードの使用を禁止することになるが、景品管理機１３０を通じてカードＩＤの貯玉残高２５Ｂが貯玉上限閾値以下になった場合、会員カードの使用禁止を解除するものである。尚、会員カード使用制限設定部３３は、会員カードの使用禁止を解除した場合、その会員カードのカードＩＤ２６Ａに対応した使用制限フラグ２６ＢをＯＦＦ設定するものである。
【００８３】
図９は、各台計数機能を内蔵した玉貸出機３の正面図である。
【００８４】
図９に示す玉貸出機３は、現金紙幣を投入する紙幣投入口４１と、会員カードや一般カード等のプリペイドカードを挿入又は返却するカード挿入口４２と、各種情報を入力する操作部４３と、現在プリペイド残額を表示するプリペイド残額表示部４４と、図示せぬ玉計数部を通じて遊技台１１０で獲得した玉数を計数し、その計数結果を当日持玉として表示する持玉計数表示部４５と、玉貸出機３の動作状態を表示する状態表示ランプ４６とを有している。
【００８５】
操作部４３は、暗証番号等を入力するためのテンキー４３Ａと、該当するプリペイド残額に基づく、遊技玉の貸出を要求する玉貸ボタン４３Ｂと、該当する貯玉残高に基づく、遊技玉の引出を要求する再プレイボタン４３Ｃと、該当する持玉残高に基づく、遊技玉の返却を要求する玉返却ボタン４３Ｄとを有している。
【００８６】
玉貸出機３内部の図示せぬ玉計数部は、併設する遊技台１１０の獲得玉を下皿から排出し、その排出通路を通過した獲得玉を計数し、その計数結果を島コントローラ１２０及びＬＡＮ６経由でカード管理装置４に通知するものである。カード管理装置４内のカード管理制御部１５は、現在獲得玉数の計数結果を当日持玉１７ＢとしてカードＩＤ１７Ａに対応付けて持玉ＤＢ１７に登録管理するものである。
【００８７】
次に、実施例１の遊技台管理システム１の動作について説明する。図１０は、自動貯玉に関わる遊技台管理システム１の動作遷移を端的に示す説明図である。
【００８８】
例えば、貯玉上限閾値を１００万円相当の１玉４円換算で２５万玉、会員のカードＩＤ“０００３”の貯玉残高２５Ｂは２４万玉とする。
【００８９】
例えば、会員が営業中の遊技店に赴き、遊技台１１０に併設する玉貸出機３に会員カードを挿入して遊技台１１０で遊技し、遊技台に併設した玉貸出機３の図示せぬ玉計数部を通じて３万５千玉を獲得したとする(ステップＳ１)。この際、カード管理装置４は、会員カードのカードＩＤを取得し、カードＩＤ１７Ａに対応付けて持玉ＤＢ１７内の当日持玉１７Ｂとして“３万５千玉”を登録管理するものである。
【００９０】
その後、会員は、景品交換カウンタに赴くことなく、そのまま、退店したとする(ステップＳ２)。
【００９１】
遊技店の会員管理装置５では、遊技店閉店後の当日閉店処理時に貯玉残高移行処理を開始し(ステップＳ３)、カード管理装置４の持玉ＤＢ１７から会員カードのカードＩＤ１７Ａに対応した当日持玉１７Ｂを取得し、貯玉管理制御部３１を通じてカードＩＤ毎に貯玉残高２５Ｂ及び当日持玉１７Ｂを累積加算して貯玉、すなわち当日持玉を貯玉残高に移行する(ステップＳ４)。尚、会員管理装置５は、貯玉残高２５Ｂ及び当日持玉１７Ｂの累積加算結果を貯玉残高ＤＢ２５内の貯玉残高２５Ｂとして更新登録することになる。
【００９２】
この際、会員管理装置５内の会員管理制御部３０では、カードＩＤ２５Ａに対応した貯玉残高２５Ｂに当日持玉１７Ｂを貯玉する際、貯玉上限閾値判定部３２を通じて、貯玉残高２５Ｂ及び当日持玉１７Ｂの累積加算結果が貯玉上限閾値である２５万玉を超えたか否かを判定する。
【００９３】
会員管理制御部３０では、例えば、カードＩＤ“０００１”に対応する貯玉残高２５Ｂが２０万玉、その当日持玉１７Ｂが１万５千玉の場合、２０万玉＋１万５千玉で貯玉上限閾値、すなわち２５万玉を超えていないものと判断し、貯玉管理制御部３１を通じて、１万５千玉を自動貯玉して貯玉残高ＤＢ２５内の貯玉残高２５Ｂに２１万５千玉を更新登録し、使用制限フラグＤＢ２６内の使用制限フラグ２６ＢをＯＦＦ設定することになる。
【００９４】
また、会員管理制御部３０では、例えば、カードＩＤ“０００３”に対応する貯玉残高２５Ｂが２４万玉、その当日持玉１７Ｂが３万５千玉の場合、２４万玉＋３万５千玉で貯玉上限閾値、すなわち２５万玉を超えたものと判断し、貯玉管理制御部３１を通じて、３万５千玉を自動貯玉して貯玉残高ＤＢ２５内の貯玉残高２５Ｂに２７万５千玉を更新登録し、使用制限フラグＤＢ２６内の使用制限フラグ２６ＢをＯＮ設定することになる。
【００９５】
次に、翌日以降、会員が遊技店に再度入店したとする。
【００９６】
会員管理制御部３０は、玉貸出機３等のカード取扱装置を通じて会員カードを検出すると、その会員カードのカードＩＤを取得し、使用制限フラグＤＢ２６内の該当カードＩＤ２６Ａに対応した使用制限フラグ２６Ｂを取得し、使用制限フラグ判定部３４を通じて該当カードＩＤ２６Ａの使用制限フラグ２６ＢがＯＮ中であるか否かを判定する。
【００９７】
会員管理制御部３０では、例えば、カードＩＤ“０００１”に対応した使用制限フラグ２６Ｂを使用制限フラグＤＢ２６から取得し、該当する使用制限フラグ２６ＢがＯＮ中ではない、すなわちＯＦＦ中の場合、通常通り、カード取扱装置に対して会員カードの受付を指示することになる。
【００９８】
また、会員管理制御部３０では、例えば、カードＩＤ“０００３”に対応した使用制限フラグ２６Ｂを使用制限フラグＤＢ２６から取得し、該当する使用制限フラグ２６ＢがＯＮ中の場合、カード取扱装置に対して会員カードの使用を禁止してエラー警告を報知すると共に、その会員カードの返却をカード取扱装置に指示することになる。カード取扱装置は、エラー警告を表示出力する(ステップＳ５)。その結果、会員は、カード取扱装置からのエラー警告に基づき、現在状況を認識し、貯玉残高２５Ｂを減らすべく、景品交換カウンタに赴き、貯玉残高２５Ｂで景品交換することになる。
【００９９】
会員管理制御部３０は、景品管理機１３０を通じて会員の貯玉残高で景品と交換した場合(ステップＳ６)、貯玉残高ＤＢ２５内のカードＩＤ２５Ａの貯玉残高２５Ｂは景品相当分の玉を減らし、貯玉残高２５Ｂが貯玉上限閾値以下になった場合、使用制限フラグＤＢ２６内の該当カードＩＤ２６Ａに対応した使用制限フラグ２６ＢをＯＦＦ設定するものである。
【０１００】
例えば、会員管理制御部３０は、景品管理機１３０を通じてカードＩＤ“０００３”の会員が８万玉相当の景品を交換した場合、貯玉残高ＤＢ２５内のカードＩＤ“０００３”の貯玉残高２５Ｂの「２７万５千玉」から景品相当分の８万玉を減らし、貯玉残高２５Ｂの「１９万５千玉」が貯玉上限閾値以下、すなわち２５万玉以下になった場合、使用制限フラグＤＢ２６内のカードＩＤ“０００３”の使用制限フラグ２６ＢをＯＦＦ設定する。その結果、カードＩＤ”０００３“の会員は、使用制限フラグ２６ＢがＯＦＦ設定のため、通常通り、会員カードを使用することができる(ステップＳ７)。
【０１０１】
次に、会員管理装置５側の貯玉残高移行処理について説明する。図１１は、実施例１の貯玉残高移行処理に関わる会員管理装置５の処理動作を示すフローチャートである。
【０１０２】
図１１に示す貯玉残高移行処理とは、例えば、遊技店の閉店後、遊技店の売上を締上げる当日閉店処理実行時に、貯玉残高ＤＢ２５内のカードＩＤ２５Ａ毎に、その貯玉残高２５Ｂに当日持玉１７Ｂを自動貯玉、すなわち当日持玉を貯玉残高に移行する処理である。
【０１０３】
図１１において会員管理装置５内の会員管理制御部３０は、貯玉管理制御部３１を通じて、各会員の会員カードのカードＩＤ１７Ａに対応した当日持玉１７Ｂをカード管理装置４内の持玉ＤＢ１７から取得する。
【０１０４】
会員管理制御部３０は、貯玉残高ＤＢ２５内に未処理のカードＩＤ２５Ａがあるか否かを判定する(ステップＳ１１)。
【０１０５】
会員管理制御部３０は、未処理のカードＩＤ２５Ａがある場合（ステップＳ１１肯定）、貯玉残高ＤＢ２５の内、未処理のカードＩＤ２５Ａに対応した貯玉残高２５Ｂと、カード管理装置４から取得した該当カードＩＤ１７Ａの当日持玉１７Ｂとを貯玉管理制御部３１を通じて累積加算し、貯玉上限閾値判定部３２を通じて、これら貯玉残高２５Ｂ及び当日持玉１７Ｂの累積加算結果が貯玉上限閾値を超えたか否かを判定する(ステップＳ１２)。
【０１０６】
会員管理制御部３０は、貯玉残高２５Ｂ及び当日持玉１７Ｂの累積加算結果が貯玉上限閾値を超えた場合（ステップＳ１２肯定）、会員カード使用制限設定部３３を通じて、このカードＩＤ２６Ａに対応する使用制限フラグＤＢ２６内の使用制限フラグ２６ＢをＯＮ設定する(ステップＳ１３)。
【０１０７】
更に、会員管理制御部３０は、貯玉管理制御部３１を通じて、該当カードＩＤの貯玉残高２５Ｂ及び当日持玉１７Ｂの累積加算結果を貯玉残高ＤＢ２５内の貯玉残高２５Ｂに更新し (ステップＳ１４）、未処理のカードＩＤ２５Ａがあるか否かを判定すべく、ステップＳ１１に移行する。
【０１０８】
また、会員管理制御部３０は、未処理のカードＩＤ２５Ａがない場合(ステップＳ１１否定)、図１１に示す処理動作を終了する。
【０１０９】
また、会員管理制御部３０は、該当するカードＩＤ２５Ａに対応した貯玉残高２５Ｂ及び当日持玉１７Ｂの累積加算結果が貯玉上限閾値を超えていない場合(ステップＳ１２否定)、該当カードＩＤ２５Ａに対応する貯玉残高２５Ｂ及び当日持玉１７Ｂの累積加算結果を貯玉残高ＤＢ２５内の貯玉残高２５Ｂに更新し(ステップＳ１５)、未処理のカードＩＤ２５Ａがあるか否かを判定すべく、ステップＳ１１に移行する。
【０１１０】
図１１に示す貯玉残高移行処理では、未処理のカードＩＤ２５Ａ毎に、貯玉残高２５Ｂ及び当日持玉１７Ｂの累積加算結果が貯玉上限閾値を超えた場合、カードＩＤ２６Ａに対応付けて使用制限フラグ２６ＢをＯＮ設定し、１回に限定して、貯玉残高２５Ｂに当日持玉１７Ｂを自動貯玉するようにしたので、従来のように貯玉残高移行処理時に貯玉残高２５Ｂが貯玉上限閾値超過のため、当日持玉１７Ｂを貯玉不可としてしまうような事態を回避することができる。
【０１１１】
尚、会員管理制御部３０は、ステップＳ１２にて貯玉残高２５Ｂ及び当日持玉１７Ｂの累積加算結果が貯玉上限閾値を超えたか否かを判定した後、ステップＳ１４又はステップＳ１５を経て該当カードＩＤ２５Ａに対応する貯玉残高２５Ｂ及び当日持玉１７Ｂの累積加算結果を貯玉残高ＤＢ２５内の貯玉残高２５Ｂに更新するようにしたが、該当カードＩＤ２５Ａに対応した貯玉残高２５Ｂ及び当日持玉１７Ｂの累積加算結果を貯玉残高ＤＢ２５内の貯玉残高２５Ｂに更新した後、ステップＳ１２にて、その更新後の貯玉残高２５Ｂが貯玉上限閾値を超えたか否かを判定するようにしても良く、この場合、ステップＳ１４及びステップＳ１５の処理を省くことができる。
【０１１２】
次に、貯玉残高移行処理を含む当日閉店処理実行後の次の日以降の営業中に、カード取扱装置に対する会員カードの取扱を管理する会員管理装置５の動作について説明する。図１２は、実施例１の会員カード受付処理に関わる会員管理装置５側の処理動作を示すフローチャートである。
【０１１３】
図１２に示す会員カード受付処理は、遊技店の営業中に、遊技店内のカード取扱装置に対する会員カードの取扱を管理制御する処理である。
【０１１４】
図１２において会員管理制御部３０は、カード取扱装置への会員カードの挿入操作に応じて、ＬＡＮ６経由で会員カードを検出したか否かを判定する(ステップＳ２１)。尚、カード取扱装置としては、貯玉残高２５Ｂを減少方向に導く景品管理機１３０を除く、例えば、玉貸出機３、島端計数機に併設したカード処理機１５０、カード精算機１６０、再プレイ機、貯玉残高２５Ｂで飲料水やタバコ等を交換可能にする自販機子機等に相当するものである。
【０１１５】
会員管理制御部３０は、会員カードを検出した場合(ステップＳ２１肯定）、会員カードのカードＩＤを取得し(ステップＳ２２)、使用制限フラグ判定部３４を通じて、使用制限フラグＤＢ２６内のカードＩＤ２６Ａに対応した使用制限フラグ２６ＢがＯＮ中であるか否かを判定する(ステップＳ２３)。
【０１１６】
会員管理制御部３０は、カードＩＤ２６Ａに対応した使用制限フラグ２６ＢがＯＮ中の場合(ステップＳ２３肯定)、警告報知制御部２８を通じて、貯玉残高２５Ｂが貯玉上限閾値超過で会員カードが使用禁止のために景品交換を要求する旨のエラー警告をカード取扱装置に指示する(ステップＳ２４)。尚、カード取扱装置では、そのエラー警告を表示出力するものである。
【０１１７】
更に、会員管理制御部３０は、会員カード使用禁止のため、カード取扱装置に対して会員カード返却を指示し(ステップＳ２５)、図１２に示す処理動作を終了する。尚、カード取扱装置は、このカード返却指示に基づき、会員カードを会員に返却する。
【０１１８】
更に、会員は、ステップＳ２４のエラー警告に基づき、貯玉残高２５Ｂが貯玉上限閾値超過で会員カードが使用禁止のため景品交換を行う必要があると認識することができる。また、カード取扱装置は、そのエラー警告を警報出力することで、遊技店内の係員に知らせるようにしても良い。
【０１１９】
尚、会員管理制御部３０は、景品管理機１３０を通じて貯玉残高２５Ｂを景品交換することで、カードＩＤ２５Ａに対応した貯玉残高２５Ｂを貯玉上限閾値以下にすることで会員カードの使用禁止を解除、すなわち使用制限フラグ２６ＢをＯＦＦ設定することになる。その結果、会員は、カード取扱装置に対して会員カードの使用が可能になる。
【０１２０】
また、会員管理制御部３０は、カードＩＤ２６Ａに対応した使用制限フラグ２６ＢがＯＮ中でない、すなわちＯＦＦ中の場合(ステップＳ２３否定)、通常通り、カード取扱装置に対して会員カードの受付を指示し（ステップＳ２６）、図１２に示す処理動作を終了する。
【０１２１】
図１２に示す会員カード受付処理では、カード取扱装置を通じて会員カードを検出すると、会員カードのカードＩＤ２６Ａに対応した使用制限フラグ２６ＢがＯＮ中の場合、貯玉残高２５Ｂが貯玉上限閾値超過で会員カードが使用禁止のために景品交換を要求する旨のエラー警告をカード取扱装置に指示すると共に、その会員カードをカード取扱装置から返却するようにしたので、会員は、貯玉残高２５Ｂが貯玉上限閾値超過を認識できると共に、遊技店側では、その会員カードの返却で会員カード使用による、更なる貯玉を回避できる。
【０１２２】
また、会員カード受付処理では、カード取扱装置を通じて会員カードを検出すると、会員カードのカードＩＤ２６Ａに対応した使用制限フラグ２６ＢがＯＦＦ中の場合、通常通り、カード取扱装置に対して会員カードの受付を指示することができる。
【０１２３】
実施例１では、当日閉店処理で当日持玉１７Ｂを貯玉残高２５Ｂに累積加算して当日持玉を貯玉残高として移行する際、貯玉残高２５Ｂ及び当日持玉１７Ｂの累積加算結果が貯玉上限閾値を超えた場合、当該会員の会員カードのカードＩＤ２６Ａに対応した使用制限フラグＤＢ２６内の使用制限フラグ２６ＢをＯＮ設定する。その結果、貯玉残高２５Ｂ及び当日持玉１７Ｂの累積加算結果が貯玉上限閾値を超えたとしても、貯玉を許容することで当日持玉１７Ｂの貯玉不可による各種弊害を回避できると共に、会員カードのカードＩＤ２６Ａに対応付けた使用制限フラグ２６ＢをＯＮ設定することで、貯玉上限閾値を超過しながら、継続的に貯玉されてしまうような事態にも十分対処できる。
【０１２４】
実施例１では、貯玉残高２５Ｂ及び当日持玉１７Ｂの累積加算結果が貯玉上限閾値を超えた場合、この会員カードの使用制限フラグ２６ＢをＯＮ設定し、この会員カードの使用を制限するようにしたので、会員は、会員カードの使用が制限されることで、貯玉残高２５Ｂが貯玉上限閾値を超えたことを認識できると共に、遊技店側では、貯玉上限閾値を超えながら、継続的に貯玉されてしまうような事態を回避することができる。
【０１２５】
実施例１では、会員カードの使用制限として、カード取扱装置に対する会員カードの使用を禁止するようにしたので、遊技店側では、貯玉上限閾値を超えながら、継続的に貯玉されてしまうような事態を確実に回避できる。
【０１２６】
実施例１では、会員カードの使用制限中に、カード取扱装置を通じて会員カードの取扱要求を検出すると、会員カードの使用制限フラグ２６ＢがＯＮ中の場合、例えば、貯玉上限閾値超過や貯玉上限閾値超過による会員カードの使用制限中を知らせるエラー警告を報知するようにしたので、会員は、エラー警告に基づき、貯玉上限閾値の超過や、貯玉上限閾値超過による会員カードの使用制限中を認識できると共に、遊技店内の係員は、そのエラー警告に基づき、使用制限中の会員カードの使用を認識できる。
【０１２７】
実施例１では、会員カードが使用制限中の場合でも、この会員カードに対応する貯玉残高２５Ｂが貯玉上限閾値以下となった場合、会員カードの使用制限を解除するようにしたので、例えば、貯玉残高２５Ｂを減らす景品交換等の行為で貯玉残高２５Ｂが貯玉上限閾値以下となった場合、自動的に会員カードの使用制限を解除することができる。
【０１２８】
尚、上記実施例１では、カード取扱装置を通じて会員カードの取扱要求を検出すると、会員カードの使用制限フラグ２６ＢがＯＮ中となると、会員カードの使用を制限するようにしたが、会員カードの使用制限フラグ２６ＢがＯＦＦ中の場合でも、カード取扱装置を通じて会員カードの取扱中に会員カードに対応する貯玉残高２５Ｂが貯玉上限閾値を超えた場合、例えば、貯玉上限閾値超過を知らせるエラー警告を報知するようにしても良く、この場合、会員は、会員カードの取扱中に、エラー警告に基づき、貯玉上限閾値超過を認識することができると共に、遊技店側では、会員に対して、例えば、貯玉残高２５Ｂを減らす景品交換を促すことができる。
【０１２９】
また、実施例１では、会員カードに対応する貯玉残高２５Ｂ及び当日持玉１７Ｂの累積加算結果が貯玉上限閾値を超えた場合、会員カードの使用制限フラグ２６ＢをＯＮ設定するようにしたが、会員カードに対応する貯玉残高２５Ｂ及び当日持玉１７Ｂの累積加算結果が貯玉上限閾値を超え、かつ、貯玉残高２５Ｂが貯玉上限閾値以下であるか否かを判定することで、警告を行うようにしても良く、この場合、会員は、この警告に基づき、当日持玉１７Ｂを累積加算すると、貯玉残高２５Ｂが貯玉上限閾値を超過してしまうような状況下にあることを認識することができる。
【０１３０】
また、上記実施例１では、カード取扱装置を通じて会員カードの取扱要求を検出すると、会員カードの使用制限フラグ２６ＢがＯＮ中となると、会員カードの使用を制限するようにしたが、会員カードの使用制限フラグ２６ＢがＯＦＦ中の場合でも、カード取扱装置を通じて会員カードの取扱中に、会員カードに対応する貯玉残高２５Ｂが、例えば、貯玉上限閾値直前の貯玉上限直前閾値を超えた場合、貯玉上限閾値直前である旨を示す事前警告を報知するようにしても良く、この場合、会員は、会員カードの取扱中に、事前警告に基づき、貯玉残高２５Ｂが貯玉上限閾値直前に到達したことを認識できる。
【０１３１】
また、上記実施例１では、当日閉店処理時の貯玉残高移行処理時に会員管理装置５内の会員管理制御部３０側でカード管理装置４から持玉ＤＢ１７に管理中の当日持玉１７Ｂを取得し、カードＩＤ毎に、当日持玉１７Ｂと貯玉残高ＤＢ２５内の貯玉残高２５Ｂとを累積加算し、この累積加算結果が貯玉上限閾値を超えたか否かを判定するようにしたが、当日閉店処理に限定することなく、遊技店の営業中でも、カードＩＤの当日持玉１７Ｂ及び貯玉残高２５Ｂの累積加算結果を認識可能にすることで様々な処理が可能となる。そこで、このような実施の形態につき、実施例２として説明する。
【実施例２】
【０１３２】
尚、実施例１の遊技台管理システム１と同一の構成については同一符号を付すことで、その重複する構成及び動作の説明については省略する。図１３は、実施例２の要部である会員管理装置内部の概略構成を示すブロック図である。
【０１３３】
図１３に示す会員管理装置５Ａは、会員管理側通信インタフェース２１、入力部２２、出力部２３、会員管理ＤＢ２４、貯玉残高ＤＢ２５、使用制限フラグＤＢ２６、警告報知制御部２８及び会員カード取扱制御部２９の他に、カード管理装置４から取得した当日持玉をカードＩＤ毎に管理する持玉管理ＤＢ２７と、この会員管理装置５Ａを制御する会員管理制御部３０Ａとを有している。
【０１３４】
図１４は、会員管理装置５Ａ内部の持玉管理ＤＢ２７の管理内容を端的に示す説明図である。
【０１３５】
図１４に示す持玉管理ＤＢ２７は、カードＩＤ２７Ａ毎に当日持玉２７Ｂを管理し、カードＩＤ２７Ａのカードの当日持玉を管理している。
【０１３６】
また、図１３に示す会員管理制御部３０Ａは、貯玉管理制御部３１、貯玉上限閾値判定部３２、会員カード使用制限設定部３３及び使用制限フラグ判定部３４の他に、持玉管理ＤＢ２７を管理制御する持玉管理制御部３５を有している。
【０１３７】
持玉管理制御部３５は、カード管理装置４側で管理する持玉ＤＢ１７内のカードＩＤ１７Ａ毎の当日持玉１７Ｂの内容を更新すると、カード管理装置４から更新したカードＩＤ１７Ａ及び当日持玉１７Ｂを取得し、これら取得したカードＩＤ１７Ａ及び当日持玉１７ＢをカードＩＤ２７Ａ及び当日持玉２７Ｂとして持玉管理ＤＢ２７内に登録更新するものである。尚、会員管理装置５Ａ内の持玉管理ＤＢ２７の内容は、カード管理装置４内の持玉ＤＢ１７の内容とほぼ同一である。
【０１３８】
貯玉管理制御部３１は、カード処理機１５０又は景品管理機１３０を通じて貯玉加算依頼(貯玉更新依頼)を受け付けた場合、持玉管理ＤＢ２７に管理中の当日持玉２７Ｂを貯玉残高ＤＢ２５に管理中の貯玉残高２５Ｂに加算更新するものである。
【０１３９】
貯玉管理制御部３１は、玉貸出機３又は景品管理機１３０から貯玉減算依頼（貯玉更新依頼）を受け付けた場合、貯玉残高ＤＢ２５に管理中の貯玉残高２５Ｂから貯玉減算玉数を減算更新するものである。尚、貯玉減算依頼は、例えば、景品管理機１３０の場合、貯玉残高ＤＢ２５内の該当カードＩＤ２５Ａの貯玉残高２５Ｂから景品相当分の玉数を減算、また、玉貸出機３の場合、再プレイ操作に応じて、該当カードＩＤ２５Ａの貯玉残高２５Ｂから引出分の玉数を減算する依頼である。
【０１４０】
また、貯玉管理制御部３１は、貯玉残高ＤＢ２５内の貯玉残高２５Ｂに当日持玉を貯玉更新した場合、持玉管理ＤＢ２７内の該当カードＩＤ２７Ａに対応した当日持玉２７Ｂを零、カード管理装置４の持玉ＤＢ１７内の該当カードＩＤ１７Ａに対応した当日持玉１７Ｂを零とするものである。
【０１４１】
更に、会員管理制御部３０Ａは、貯玉管理制御部３１を通じて、持玉管理ＤＢ２７内の当日持玉２７Ｂを貯玉残高ＤＢ２５内の貯玉残高２５Ｂに累積加算して当日持玉を貯玉残高に移行するものである。
【０１４２】
尚、会員管理制御部３０Ａは、貯玉上限閾値判定部３２にてカードＩＤの貯玉残高２５Ｂ及び当日持玉２７Ｂの累積加算結果が貯玉上限閾値、例えば、２５万玉を超えた場合でも、１回に限り、貯玉管理制御部３１を通じて、そのカードＩＤの貯玉残高２５Ｂに当日持玉２７Ｂを貯玉更新するものである。
【０１４３】
会員カード使用制限設定部３３は、貯玉上限閾値判定部３２にてカードＩＤの貯玉残高２５Ｂ及び当日持玉２７Ｂの累積加算結果が貯玉上限閾値を超えた場合、使用制限フラグＤＢ２６内の同カードＩＤ２６Ａに対応した使用制限フラグ２６ＢをＯＮ設定するものである。
【０１４４】
また、会員カード使用制限設定部３３は、貯玉上限閾値判定部３２にてカードＩＤの貯玉残高２５Ｂ及び当日持玉２７Ｂの累積加算結果が貯玉上限閾値を超えなかった場合、使用制限フラグＤＢ２６内の同カードＩＤ２６Ａに対応した使用制限フラグ２６ＢをＯＦＦ設定するものである。
【０１４５】
また、持玉管理制御部３５は、持玉管理ＤＢ２７内のカードＩＤ２７Ａに対応する当日持玉２７Ｂの貯玉残高ＤＢ２５への貯玉残高移行処理が完了すると、持玉管理ＤＢ２７内の該当するカードＩＤ２７Ａに対応した当日持玉２７Ｂを零とするものである。尚、カード管理装置４は、貯玉残高移行処理が完了すると、持玉ＤＢ１７内の該当カードＩＤ１７Ａに対応した当日持玉１７Ｂを零にするものである。
【０１４６】
また、会員管理制御部３０Ａは、遊技店の営業中に該当カードＩＤ２５Ａの貯玉残高２５Ｂが貯玉上限閾値未満の貯玉上限直前閾値を超えたか否かを判定する貯玉上限直前閾値判定部３６と、遊技店の営業中に該当カードＩＤ２５Ａの貯玉残高２５Ｂ及び当日持玉２７Ａの累積加算結果が貯玉上限閾値を超えているか否かを判定する営業中貯玉上限閾値判定部３７とを有している。
【０１４７】
貯玉上限直前閾値判定部３６は、遊技店営業中、例えば、カード取扱装置を通じて会員カードを検出すると、その会員カードの該当カードＩＤ２５Ａの貯玉残高２５Ｂが貯玉上限直前閾値、例えば、２４万玉を超えたか否かを判定する他に、カード取扱装置を通じて会員カードを検出すると、その会員カードの該当カードＩＤの貯玉残高２５Ｂ及び持玉管理ＤＢ２７内の当日持玉２７Ｂの累積加算結果が累積貯玉上限直前閾値、例えば、２３万玉を超えたか否かも判定するものである。尚、カード取扱装置とは、例えば、玉貸出機３、島端計数機に併設したカード処理機１５０、カード精算機１６０の他に、再プレイ機、貯玉残高２５Ｂで飲料水やタバコ等を交換可能にする自販機子機等に相当するものである。
【０１４８】
営業中貯玉上限閾値判定部３７は、遊技店営業中、例えば、カード取扱装置を通じて会員カードを検出すると、その会員カードの該当カードＩＤの貯玉残高２５Ｂ及び当日持玉２７Ｂの累積加算結果が貯玉上限閾値、例えば２５万玉を超えたか否かを判定する他に、会員カードの該当カードＩＤの貯玉残高２５Ｂが貯玉上限閾値を超えたか否かも判定するものである。
【０１４９】
また、警告報知制御部２８は、使用制限フラグ判定部３４にて会員カードの該当カードＩＤ２６Ａに対応する使用制限フラグ２６ＢがＯＮ中の場合、例えば、貯玉上限閾値超過で会員カードが使用禁止のため、会員に対して景品交換を要求する旨のエラー警告をカード取扱装置に指示するものである。尚、カード取扱装置では、エラー警告を表示や音声等で報知するものである。
【０１５０】
また、会員カード取扱制御部２９は、使用制限フラグ判定部３４にて会員カードの該当カードＩＤ２６Ａに対応する使用制限フラグ２６ＢがＯＮ中の場合、会員カード使用禁止のため、カード取扱装置に対して会員カードの返却を指示するものである。尚、カード取扱装置では、会員カードを会員に返却するものである。
【０１５１】
また、警告報知制御部２８は、貯玉上限直前閾値判定部３６にて会員カードの該当カードＩＤ２５Ａの貯玉残高２５Ｂが貯玉上限直前閾値を超えた場合、例えば、貯玉残高２５Ｂが貯玉上限閾値間近である旨の事前警告をカード取扱装置に指示するものである。尚、カード取扱装置では、事前警告を表示や音声等で報知するものである。その結果、会員は、カード取扱装置の事前警告に基づき、貯玉残高２５Ｂが貯玉上限閾値間近であると認識できるものである。
【０１５２】
また、会員カード取扱制御部２９は、貯玉上限直前閾値判定部３６にて会員カードの該当カードＩＤ２５Ａの貯玉残高２５Ｂが貯玉上限直前閾値を超えたとしても、通常通り、カード取扱装置に対して会員カードの受付を指示するものである。尚、カード取扱装置は、例えば玉貸出機の場合、会員カードの受付に応じて、例えば、貯玉残高２５Ｂによる再プレイ、当日持玉２７Ｂによる玉返却やプリペイド残額による玉貸出等の指示に基づき各種動作を実行するものである。また、カード取扱装置は、例えばカード処理機１５０の場合、会員カードの受付に応じて、島端計数機を通じて計数結果を貯玉残高２５Ｂに加算更新や再プレイ等の指示に基づき各種動作を実行するものである。また、カード取扱装置は、例えば、カード精算機１６０の場合、会員カードの受付に応じて、プリペイド残額の精算指示に基づき各種動作を実行するものである。また、カード取扱装置は、例えば、自販機子機の場合、会員カードの受付に応じて、貯玉残高２５Ｂによるタバコや飲料水等の交換を実行するものである。また、カード取扱装置は、例えば、再プレイ機の場合、貯玉残高２５Ｂによる再プレイを実行するものである。
【０１５３】
また、警告報知制御部２８は、貯玉上限直前閾値判定部３６にて会員カードの該当カードＩＤの貯玉残高２５Ｂ及び当日持玉２７Ｂの累積加算結果が累積貯玉上限直前閾値を超えた場合、例えば、貯玉残高２５Ｂ及び当日持玉２７Ｂの累積加算結果が貯玉上限閾値間近である旨の事前警告をカード取扱装置に指示するものである。尚、カード取扱装置では、事前警告を表示や音声等で報知するものである。その結果、会員は、カード取扱装置の事前警告に基づき、貯玉残高２５Ｂ及び当日持玉２７Ｂの累積加算結果が貯玉上限閾値間近であると認識できるものである。
【０１５４】
また、会員カード取扱制御部２９は、貯玉上限直前閾値判定部３６にて会員カードの該当カードＩＤの貯玉残高２５Ｂ及び当日持玉２７Ｂの累積加算結果が累積貯玉上限直前閾値を超えたとしても、通常通り、カード取扱装置に対して会員カードの受付を指示するものである。尚、カード取扱装置では、会員カードを受け付けると、会員の要求に応じた処理動作を実行するものである。
【０１５５】
また、警告報知制御部２８は、営業中貯玉上限閾値判定部３７にて会員カードの該当カードＩＤの貯玉残高２５Ｂ及び当日持玉２７Ｂの累積加算結果が貯玉上限閾値を超えた場合、貯玉残高２５Ｂ及び当日持玉２７Ｂの累積加算結果が貯玉上限閾値を超えているため、会員に対して景品交換を要求する旨の注意喚起警告をカード取扱装置に指示するものである。尚、カード取扱装置では、注意喚起警告を表示や音声等で報知するものである。その結果、会員は、カード取扱装置の注意喚起警告に基づき、景品交換の必要性を認識できるものである。
【０１５６】
また、会員カード取扱制御部２９は、営業中貯玉上限閾値判定部３７にて会員カードの該当カードＩＤの貯玉残高２５Ｂ及び当日持玉２７Ｂの累積加算結果が貯玉上限閾値を超えたとしても、通常通り、カード取扱装置に対して会員カードの受付を指示するものである。尚、カード取扱装置では、会員カードを受け付けると、会員の要求に応じた処理動作を実行するものである。
【０１５７】
また、警告報知制御部２８は、営業中貯玉上限閾値判定部３７にて会員カードの該当カードＩＤ２５Ａの貯玉残高２５Ｂが貯玉上限閾値を超えた場合、貯玉残高２５Ｂが貯玉上限閾値を超えているため、会員に対して景品交換を要求する旨の注意喚起警告をカード取扱装置に指示するものである。尚、カード取扱装置では、注意喚起警告を表示や音声等で報知するものである。その結果、会員は、カード取扱装置の注意喚起警告に基づき、景品交換の必要性を認識できるものである。
【０１５８】
また、会員カード取扱制御部２９は、営業中貯玉上限閾値判定部３７にて会員カードの該当カードＩＤ２５Ａの貯玉残高２５Ｂが貯玉上限閾値を超えた場合、会員カードを使用禁止とし、カード取扱装置に対して会員カードの返却を指示するものである。尚、カード取扱装置では、会員カードを会員に返却するものである。
【０１５９】
会員カード取扱制御部２９は、会員カードの使用制限フラグ２６ＢがＯＮ中の場合、又は、遊技店営業中に貯玉残高２５Ｂが貯玉上限閾値を超えた場合、会員カードの使用を禁止するため、例えば、玉貸出機３、島端計数機に併設したカード処理機１５０、カード精算機１６０、自販機子機や再プレイ機等のカード取扱装置での会員カードの使用を禁止するようにしたが、貯玉残高２５Ｂを確実に減らす方向に導く景品管理機１３０での会員カードの使用は許可するものである。
【０１６０】
また、会員管理制御部３０Ａは、会員カードの使用制限フラグ２６ＢがＯＮ中の場合、又は、遊技店営業中に貯玉残高２５Ｂが貯玉上限閾値を超えた場合、会員カードの使用を禁止することになるが、景品管理機１３０を通じてカードＩＤの貯玉残高２５Ｂが貯玉上限閾値以下になった場合、会員カードの使用禁止を解除するものである。尚、会員カード使用制限設定部３３は、使用禁止解除の会員カードのカードＩＤ２６Ａに対応する使用制限フラグ２６ＢをＯＦＦ設定するものである。
【０１６１】
また、会員管理制御部３０Ａは、会員カードの場合、カードＩＤに対応付けて持玉管理ＤＢ２７内の当日持玉２７Ｂを管理するものである。
【０１６２】
次に、実施例２の遊技台管理システム１Ａの動作について説明する。図１５は、実施例２の貯玉残高移行処理に関わる会員管理装置５Ａ側の処理動作を示すフローチャートである。
【０１６３】
図１５に示す貯玉残高移行処理とは、例えば、遊技店の閉店後、遊技店の売上を締上げる当日閉店処理実行時に、カードＩＤ毎に、貯玉残高ＤＢ２５内の貯玉残高２５Ｂに持玉管理ＤＢ２７内の当日持玉２７Ｂを自動貯玉、すなわち当日持玉を貯玉残高に移行する処理である。
【０１６４】
図１５において会員管理装置５Ａ内の会員管理制御部３０Ａは、カード管理装置４を通じて各会員のカードＩＤ１７Ａに対応した当日持玉１７Ｂを持玉ＤＢ１７から取得し、カードＩＤ２７Ａに対応付けて当日持玉２７Ｂを持玉管理ＤＢ２７内に登録する。
【０１６５】
会員管理制御部３０Ａは、貯玉残高ＤＢ２５内に未処理のカードＩＤ２５Ａがあるか否かを判定する(ステップＳ３１)。
【０１６６】
会員管理制御部３０Ａは、未処理のカードＩＤ２５Ａがある場合（ステップＳ３１肯定）、貯玉残高ＤＢ２５及び持玉管理ＤＢ２７の内、未処理のカードＩＤに対応した貯玉残高２５Ｂ及び当日持玉２７Ｂを抽出し、貯玉上限閾値判定部３２を通じて、これら貯玉残高２５Ｂ及び当日持玉２７Ｂの累積加算結果が貯玉上限閾値を超えたか否かを判定する(ステップＳ３２)。
【０１６７】
会員管理制御部３０Ａは、貯玉残高２５Ｂ及び当日持玉２７Ｂの累積加算結果が貯玉上限閾値を超えた場合（ステップＳ３２肯定）、会員カード使用制限設定部３３を通じて該当カードＩＤ２６Ａに対応する使用制限フラグ２６ＢをＯＮ設定し(ステップＳ３３)、カードＩＤに対応した貯玉残高２５Ｂ及び当日持玉２７Ｂの累積加算結果を貯玉残高ＤＢ２５内の貯玉残高２５Ｂとして更新し(ステップＳ３４）、未処理のカードＩＤ２５Ａがあるか否かを判定すべく、ステップＳ３１に移行する。
【０１６８】
また、会員管理制御部３０Ａは、未処理のカードＩＤ２５Ａがない場合(ステップＳ３１否定)、図１５に示す処理動作を終了する。
【０１６９】
また、会員管理制御部３０Ａは、カードＩＤに対応した貯玉残高２５Ｂ及び当日持玉２７Ｂの累積加算結果が貯玉上限閾値を超えていない場合(ステップＳ３２否定)、カードＩＤに対応する貯玉残高２５Ｂ及び当日持玉２７Ｂの累積加算結果を貯玉残高ＤＢ２５内の貯玉残高２５Ｂとして更新し(ステップＳ３５)、未処理のカードＩＤ２５Ａがあるか否かを判定すべく、ステップＳ３１に移行する。
【０１７０】
図１５に示す貯玉残高移行処理では、カードＩＤ毎に、貯玉残高２５Ｂ及び当日持玉２７Ｂの累積加算結果が貯玉上限閾値を超えた場合、カードＩＤ２６Ａに対応した使用制限フラグＤＢ２６内の使用制限フラグ２６ＢをＯＮ設定し、１回に限定して、貯玉残高２５Ｂに当日持玉２７Ｂを自動貯玉するようにしたので、従来のように貯玉残高移行処理時に貯玉残高２５Ｂが貯玉上限閾値超過で当日持玉２７Ｂを貯玉不可としてしまうような事態を回避することができる。
【０１７１】
尚、会員管理制御部３０Ａは、ステップＳ３２にて貯玉残高２５Ｂ及び当日持玉１７Ｂの累積加算結果が貯玉上限閾値を超えたか否かを判定した後、ステップＳ３４又はステップＳ３５を経て該当カードＩＤに対応する貯玉残高２５Ｂ及び当日持玉１７Ｂの累積加算結果を貯玉残高ＤＢ２５内の貯玉残高２５Ｂに更新するようにしたが、該当カードＩＤ２５Ａに対応した貯玉残高２５Ｂ及び当日持玉１７Ｂの累積加算結果を貯玉残高ＤＢ２５内の貯玉残高２５Ｂに更新した後、ステップＳ３２にて、その更新後の貯玉残高２５Ｂが貯玉上限閾値を超えたか否かを判定するようにしても良く、この場合、ステップＳ３４及びステップＳ３５の処理を省くことができる。
【０１７２】
次に、貯玉残高移行処理を含む当日閉店処理実行後の営業中に、カード取扱装置に対する会員カードの取扱を管理する会員管理装置５Ａの動作について説明する。図１６は、実施例２の会員カード受付処理に関わる会員管理装置５Ａ側の処理動作を示すフローチャートである。
【０１７３】
図１６に示す会員カード受付処理は、遊技店の営業中に、遊技店内のカード取扱装置に対する会員カードの取扱を管理制御する処理である。
【０１７４】
図１６において会員管理制御部３０Ａは、カード取扱装置への会員カードの挿入操作に応じて、ＬＡＮ６経由で会員カードを検出したか否かを判定する(ステップＳ４１)。尚、カード取扱装置としては、貯玉残高２５Ｂを減少方向に導く景品管理機１３０を除く、例えば、玉貸出機３、島端計数機に併設したカード処理機１５０、カード精算機１６０、再プレイ機、貯玉残高２５Ｂで飲料水やタバコ等を交換可能にする自販機子機等に相当するものである。
【０１７５】
会員管理制御部３０Ａは、会員カードを検出した場合(ステップＳ４１肯定）、会員カードのカードＩＤを取得し(ステップＳ４２)、使用制限フラグ判定部３４を通じて、使用制限フラグＤＢ２６内のカードＩＤ２６Ａに対応した使用制限フラグ２６ＢがＯＮ中であるか否かを判定する(ステップＳ４３)。
【０１７６】
会員管理制御部３０Ａは、カードＩＤ２６Ａに対応した使用制限フラグ２６ＢがＯＮ中の場合(ステップＳ４３肯定)、警告報知制御部２８を通じて、貯玉残高２５Ｂが貯玉上限閾値超過で会員カードが使用禁止のため、景品交換を要求する旨のエラー警告をカード取扱装置に指示する(ステップＳ４４)。尚、カード取扱装置では、そのエラー警告を表示出力するものである。
【０１７７】
更に、会員管理制御部３０Ａは、会員カード使用禁止のため、カード取扱装置に対して会員カード返却を指示し(ステップＳ４５)、図１６に示す処理動作を終了する。尚、カード取扱装置は、このカード返却指示に基づき、会員カードを会員に返却する。
【０１７８】
更に、会員は、ステップＳ４４のエラー警告に基づき、貯玉残高２５Ｂが貯玉上限閾値超過で会員カードが使用禁止のため、景品交換を行う必要があることを認識することができる。また、カード取扱装置は、そのエラー警告を警報出力することで、遊技店内の係員に知らせるようにしても良い。
【０１７９】
尚、会員管理制御部３０Ａは、景品管理機１３０を通じて貯玉残高２５Ｂを景品交換することで、カードＩＤ２５Ａに対応した貯玉残高２５Ｂを貯玉上限閾値以下にすることで会員カード使用禁止を解除、すなわち使用制限フラグ２６ＢをＯＦＦ設定することになる。その結果、会員は、カード取扱装置に対して会員カードの使用が可能になる。
【０１８０】
また、会員管理制御部３０Ａは、カードＩＤ２６Ａに対応した使用制限フラグ２６ＢがＯＮ中でない、すなわちＯＦＦ中の場合(ステップＳ４３否定)、営業中貯玉上限閾値判定部３７を通じて会員カードのカードＩＤ２５Ａに対応した貯玉残高２５Ｂが貯玉上限閾値、例えば、２５万玉を超えたか否かを判定する（ステップＳ４６）。
【０１８１】
会員管理制御部３０Ａは、会員カードのカードＩＤ２５Ａに対応した貯玉残高２５Ｂが貯玉上限閾値を超えた場合（ステップＳ４６肯定）、警告報知制御部２８を通じて、貯玉残高２５Ｂが貯玉上限閾値を超えているため、会員に対して景品交換を要求する旨のエラー警告をカード取扱装置に指示する(ステップＳ４７）。尚、カード取扱装置では、そのエラー警告を表示出力するものである。
【０１８２】
更に、会員管理制御部３０Ａは、会員カード使用禁止のため、カード取扱装置に対して会員カード返却を指示し(ステップＳ４８)、図１６に示す処理動作を終了する。尚、カード取扱装置は、このカード返却指示に基づき、会員カードを会員に返却する。
【０１８３】
更に、会員は、ステップＳ４７のエラー警告に基づき、貯玉残高２５Ｂが貯玉上限閾値超過で会員カードが使用禁止のため、景品交換を行う必要があることを認識することができる。また、カード取扱装置は、そのエラー警告を警報出力することで、遊技店内の係員に知らせるようにしても良い。
【０１８４】
尚、会員管理制御部３０Ａは、景品管理機１３０を通じて貯玉残高２５Ｂを景品交換することで、カードＩＤ２５Ａに対応した貯玉残高２５Ｂを貯玉上限閾値以下にすることで会員カード使用禁止を解除、すなわち使用制限フラグ２６ＢをＯＦＦ設定することになる。その結果、会員は、カード取扱装置に対して会員カードの使用が可能になる。
【０１８５】
また、会員管理制御部３０Ａは、会員カードのカードＩＤ２５Ａに対応した貯玉残高２５Ｂが貯玉上限閾値を超えなかった場合(ステップＳ４６否定）、営業中貯玉上限閾値判定部３７を通じて会員カードのカードＩＤに対応した貯玉残高２５Ｂ及び当日持玉２７Ｂの累積加算結果が貯玉上限閾値を超えたか否かを判定する(ステップＳ４９）。尚、営業中貯玉上限閾値判定部３７は、会員カードの該当カードＩＤ２７Ａに対応する当日持玉２７Ｂを持玉管理ＤＢ２７から取得するものである。
【０１８６】
会員管理制御部３０Ａは、カードＩＤに対応した貯玉残高２５Ｂ及び当日持玉２７Ｂの累積加算結果が貯玉上限閾値を超えた場合（ステップＳ４９肯定）、警告報知制御部２８を通じて、貯玉残高２５Ｂ及び当日持玉２７Ｂの累積加算結果が貯玉上限閾値を超えているため、会員に対して景品交換を要求する旨の注意喚起警告をカード取扱装置に指示する(ステップＳ５０）。尚、カード取扱装置では、その注意喚起警告を表示出力するものである。
【０１８７】
更に、会員は、注意喚起警告に基づき、貯玉残高２５Ｂ及び当日持玉２７Ｂの累積加算結果が貯玉上限閾値超過を超えて、貯玉残高２５Ｂを減らさないと、翌日には会員カードを使用できなくなることを認識することができる。
【０１８８】
更に、会員管理制御部３０Ａは、通常通り、カード取扱装置に対して会員カードの受付を指示し(ステップＳ５１)、図１６に示す処理動作を終了する。
【０１８９】
また、会員管理制御部３０Ａは、カードＩＤに対応した貯玉残高２５Ｂ及び当日持玉２７Ｂの累積加算結果が貯玉上限閾値を超えなかった場合(ステップＳ４９否定)、貯玉上限直前閾値判定部３６を通じて会員カードのカードＩＤに対応した貯玉残高２５Ｂ及び当日持玉２７Ｂの累積加算結果が累積貯玉上限直前閾値、例えば、２３万玉を超えたか否かを判定する(ステップＳ５２)。尚、貯玉上限直前閾値判定部３６は、会員カードの該当カードＩＤ２７Ａに対応する当日持玉２７Ｂを持玉管理ＤＢ２７から取得するものである。
【０１９０】
会員管理制御部３０Ａは、カードＩＤに対応した貯玉残高２５Ｂ及び当日持玉２７Ｂの累積加算結果が累積貯玉上限直前閾値を超えた場合(ステップＳ５２肯定)、警告報知制御部２８を通じて、貯玉残高２５Ｂ及び当日持玉２７Ｂの累積加算結果が貯玉上限閾値間近である旨の事前警告をカード取扱装置に指示する(ステップＳ５３）。尚、カード取扱装置では、その事前警告を表示出力するものである。
【０１９１】
更に、会員は、事前警告に基づき、貯玉残高２５Ｂ及び当日持玉２７Ｂの累積加算結果が貯玉上限閾値間近であることを認識することができる。
【０１９２】
更に、会員管理制御部３０Ａは、通常通り、カード取扱装置に対して会員カードの受付を指示し(ステップＳ５４)、図１６に示す処理動作を終了する。
【０１９３】
また、会員管理制御部３０Ａは、カードＩＤに対応した貯玉残高２５Ｂ及び当日持玉２７Ｂの累積加算結果が累積貯玉上限直前閾値を超えなかった場合（ステップＳ５２否定）、貯玉上限直前閾値判定部３６を通じて会員カードの該当カードＩＤ２５Ａに対応した貯玉残高２５Ｂが貯玉上限直前閾値、例えば、２４万玉を超えたか否かを判定する(ステップＳ５５）。
【０１９４】
会員管理制御部３０Ａは、該当カードＩＤ２５Ａに対応した貯玉残高２５Ｂが貯玉上限直前閾値を超えた場合(ステップＳ５５肯定)、警告報知制御部２８を通じて、貯玉残高２５Ｂが貯玉上限閾値間近である旨の事前警告をカード取扱装置に指示する(ステップＳ５６）。尚、カード取扱装置では、その事前警告を表示出力するものである。
【０１９５】
更に、会員は、事前警告に基づき、貯玉残高２５Ｂ及び当日持玉２７Ｂの累積加算結果が貯玉上限閾値間近であることを認識することができる。
【０１９６】
更に、会員管理制御部３０Ａは、通常通り、カード取扱装置に対して会員カードの受付を指示し(ステップＳ５７)、図１６に示す処理動作を終了する。
【０１９７】
また、会員管理制御部３０Ａは、該当カードＩＤ２５Ａに対応した貯玉残高２５Ｂが貯玉上限直前閾値を超えなかった場合(ステップＳ５５否定)、通常通り、カード取扱装置に対して会員カードの受付を指示すべく、ステップＳ５７に移行する。
【０１９８】
図１６に示す会員カード受付処理では、カード取扱装置を通じて会員カードを検出すると、会員カードの該当カードＩＤ２６Ａに対応した使用制限フラグ２６ＢがＯＮ中の場合、貯玉残高２５Ｂが貯玉上限閾値超過で会員カードが使用禁止のために、景品交換を要求する旨のエラー警告をカード取扱装置に指示すると共に、その会員カードをカード取扱装置から返却するようにしたので、会員は、そのエラー警告に基づき、貯玉残高２５Ｂの貯玉上限閾値超過を認識できると共に、遊技店側では、その会員カードの返却で会員カード使用による、更なる貯玉を回避ができる。
【０１９９】
また、会員カード受付処理では、カード取扱装置を通じて会員カードを検出すると、会員カードの該当カードＩＤ２６Ａに対応した使用制限フラグ２６ＢがＯＦＦ中の場合でも、貯玉上限閾値超過で会員カードが使用禁止のため、景品交換を要求する旨のエラー警告をカード取扱装置に指示すると共に、その会員カードをカード取扱装置から返却するようにしたので、会員は、そのエラー警告に基づき、貯玉残高２５Ｂの貯玉上限閾値超過を認識できると共に、遊技店側では、その会員カードの返却で会員カード使用による、更なる貯玉を回避できる。
【０２００】
また、会員カード受付処理では、カード取扱装置を通じて会員カードを検出すると、会員カードの該当カードＩＤ２６Ａに対応した使用制限フラグ２６ＢがＯＦＦ中の場合でも、貯玉残高２５Ｂ及び当日持玉２７Ｂの累積加算結果が貯玉上限閾値を超えた場合、貯玉残高２５Ｂ及び当日持玉２７Ｂの累積加算結果が貯玉上限閾値超過のため、注意喚起警告をカード取扱装置に指示すると共に、その会員カードをカード取扱装置から返却するようにしたので、会員は、その注意喚起警告に基づき、貯玉残高２５Ｂ及び当日持玉２７Ｂの累積加算結果が貯玉上限閾値を超えて、翌日には会員カードを使用できなくなることを認識できる。
【０２０１】
また、会員カード受付処理では、カード取扱装置を通じて会員カードを検出すると、会員カードの該当カードＩＤ２６Ａに対応した使用制限フラグ２６ＢがＯＦＦ中の場合でも、貯玉残高２５Ｂ及び当日持玉２７Ｂの累積加算結果が累積貯玉上限直前閾値を超えた場合、事前警告をカード取扱装置に指示するようにしたので、会員は、その事前警告に基づき、貯玉残高２５Ｂ及び当日持玉２７Ｂの累積加算結果が貯玉上限閾値間近であることを認識することができる。
【０２０２】
また、会員カード受付処理では、カード取扱装置を通じて会員カードを検出すると、会員カードの該当カードＩＤに対応した使用制限フラグ２６ＢがＯＦＦ中の場合でも、貯玉残高２５Ｂが貯玉上限直前閾値を超えた場合、事前警告をカード取扱装置に指示するようにしたので、会員は、その事前警告に基づき、貯玉残高２５Ｂが貯玉上限閾値間近であることを認識することができる。
【０２０３】
実施例２では、貯玉残高移行処理にて当日持玉２７Ｂを貯玉残高２５Ｂに累積加算して当日持玉を貯玉残高として移行する際、貯玉残高２５Ｂ及び当日持玉２７Ｂの累積加算結果が貯玉上限閾値を超えた場合、当該会員カードの該当カードＩＤ２６Ａに対応付けて使用制限フラグ２６ＢをＯＮ設定する。その結果、貯玉残高２５Ｂ及び当日持玉２７Ｂの累積加算結果が貯玉上限閾値を超えたとしても、貯玉を許容することで当日持玉２７Ｂの貯玉不可による各種弊害を回避できると共に、会員カード２６Ａに対応付けた使用制限フラグ２６ＢをＯＮ設定することで、貯玉上限閾値を超過しながら、継続的に貯玉されてしまうような事態にも十分対処できる。
【０２０４】
実施例２では、貯玉残高２５Ｂ及び当日持玉２７Ｂの累積加算結果が貯玉上限閾値を超えた場合、この会員カードの使用を制限するようにしたので、会員は、会員カードの使用が制限されることで、貯玉残高２５Ｂが貯玉上限閾値を超えたことを認識できると共に、遊技店側では、貯玉上限閾値を超えながら、継続的に貯玉されてしまうような事態を回避することができる。
【０２０５】
実施例２では、会員カードの使用制限として、カード取扱装置に対する会員カードの使用を禁止するようにしたので、遊技店側では、貯玉上限閾値を超えながら、継続的に貯玉されてしまうような事態を確実に回避できる。
【０２０６】
実施例２では、会員カードの使用制限中に、カード取扱装置を通じて会員カードの取扱要求を検出すると、例えば、貯玉上限閾値超過や貯玉上限閾値超過による会員カードの使用制限中を知らせるエラー警告を報知するようにしたので、会員は、エラー警告に基づき、貯玉上限閾値の超過や、貯玉上限閾値超過による会員カードの使用制限中を認識できると共に、遊技店内の係員は、そのエラー警告に基づき、使用制限中の会員カードの使用を認識できる。
【０２０７】
実施例２では、カード取扱装置を通じて会員カードの取扱中に会員カードに対応する貯玉残高２５Ｂが貯玉上限閾値を超えた場合、例えば、貯玉上限閾値超過を知らせるエラー警告を報知するようにしたので、会員は、会員カードの取扱中に、エラー警告に基づき、貯玉上限閾値超過を認識することができると共に、遊技店側では、会員に対して、例えば、貯玉残高２５Ｂを減らす景品交換を促すことができる。
【０２０８】
実施例２では、カード取扱装置を通じて会員カードの取扱中に、会員カードの該当カードＩＤ２５Ａに対応する貯玉残高２５Ｂが、例えば、貯玉上限閾値直前の貯玉上限直前閾値を超えた場合、貯玉上限閾値直前である旨を示す事前警告を報知するようにしたので、会員は、会員カードの取扱中に、事前警告に基づき、貯玉残高２５Ｂが貯玉上限閾値直前に到達したことを認識できる。
【０２０９】
実施例２では、カード取扱装置を通じて会員カードの取扱中に、会員カードの該当カードＩＤに対応する貯玉残高２５Ｂ及び当日持玉２７Ｂの累積加算結果が、例えば、貯玉上限閾値直前の累積貯玉上限直前閾値を超えた場合、貯玉上限閾値直前である旨を示す事前警告を報知するようにしたので、会員は、会員カードの取扱中に、事前警告に基づき、貯玉残高２５Ｂ及び当日持玉２７Ｂの累積加算結果が貯玉上限閾値直前に到達したことを認識することができる。
【０２１０】
実施例２では、カード取扱装置を通じて会員カードの取扱中に、会員カードの該当カードＩＤに対応する貯玉残高２５Ｂ及び当日持玉２７Ｂの累積加算結果が貯玉上限閾値を超えた場合、例えば、貯玉上限閾値に到達した旨を示す事前警告を報知するようにしたので、会員は、会員カードの取扱中に、事前警告に基づき、貯玉残高２５Ｂ及び当日持玉２７Ｂの累積加算結果が貯玉上限閾値に到達したことを認識することができる。
【０２１１】
実施例２では、会員カードが使用制限中の場合でも、この会員カードの該当カードＩＤ２５Ａに対応する貯玉残高２５Ｂが貯玉上限閾値以下となった場合、会員カードの使用制限を解除するようにしたので、例えば、貯玉残高２５Ｂを減らす景品交換等の行為で貯玉残高２５Ｂが貯玉上限閾値以下となった場合、自動的に会員カードの使用制限を解除することができる。
【０２１２】
実施例２では、会員カードの該当カードＩＤに対応する貯玉残高２５Ｂ及び当日持玉２７Ｂの累積加算結果が貯玉上限閾値を超え、かつ、貯玉残高２５Ｂが貯玉上限閾値以下であるか否かを判定するようにしたので、会員は、当日持玉１７Ｂを累積加算すると、貯玉残高２５Ｂが貯玉上限閾値を超過してしまうような状況下にあることを認識することができると共に、会員管理装置５Ａ側では、当日持玉２７Ｂを累積加算すると、貯玉残高２５Ｂが貯玉上限閾値を超過してしまうような事態に対処できる。
【０２１３】
尚、本実施例では、遊技媒体として、パチンコ遊技台で使用する遊技玉を例に挙げて説明したが、遊技玉に限定されるものではなく、例えば、パチスロ遊技台で使用する遊技メダルであっても、同様の効果が得られることは言うまでもない。
【０２１４】
また、本実施例では、貯玉上限閾値超過で、カード取扱装置に対する会員カードの使用を禁止した場合でも、カード取扱装置の内、景品管理機１３０については貯玉残高２５Ｂを減らす観点から会員カードの使用を許可するようにしたが、貯玉残高２５Ｂを増やすことなく、貯玉残高２５Ｂを減らす方向に導くカード取扱装置であれば、景品管理機１３０に限定するものではなく、同様の効果が得られることは言うまでもない。
【０２１５】
また、本実施例では、当日閉店処理時に貯玉残高２５Ｂが貯玉上限閾値を超えた場合、会員カード使用制限設定部３３を通じて使用制限フラグ２６ＢをＯＮ設定し、貯玉残高２５Ｂが貯玉上限閾値以下となると、その使用制限フラグ２６ＢをＯＦＦ設定するようにしたが、使用制限フラグ２６ＢのＯＦＦ設定をデフォルト状態とし、貯玉上限閾値を超えた場合にのみ、会員カード使用制限設定部３３を通じて使用制限フラグ２６ＢをＯＮ設定するようにしても良く、同様の効果が得られることは言うまでもない。
【０２１６】
また、上記実施例１では、持玉及びプリペイド価値をカード管理装置４、貯玉残高を会員管理装置５で管理し、上記実施例２では、持玉及びプリペイド価値をカード管理装置４、持玉及び貯玉残高を会員管理装置５Ａで管理するようにしたが、例えば、持玉、貯玉残高及びプリペイド価値毎に個別の管理装置で管理、又は、持玉、貯玉残高及びプリペイド価値等を単一の管理装置で管理するようにしても良く、この場合でも、同様の効果が得られることは言うまでもない。
【０２１７】
また、上記実施例１では、持玉及びプリペイド価値をカード管理装置４、貯玉残高を会員管理装置５で管理し、上記実施例２では、持玉及びプリペイド価値をカード管理装置４、持玉及び貯玉残高を会員管理装置５Ａで管理するようにしたが、カード管理装置４が、例えば、玉貸出機３への会員カードの挿入を検出すると、会員管理装置５（５Ａ）で管理中のカードＩＤに対応した貯玉残高を会員管理装置５Ａから取得し、この取得した貯玉残高をカード管理装置４側で管理するようにしても良い。この場合、カード管理装置４内のカード管理制御部１５側では、この貯玉残高に使用して、貯玉上限閾値判定部３２、貯玉上限直前閾値判定部３６及び営業中貯玉上限閾値判定部３７の処理動作が実現可能となるため、会員管理装置５（５Ａ）側の処理負担を大幅に軽減することができる。
【０２１８】
また、本実施例では、当日閉店処理時の貯玉残高移行処理時に当日持玉１７Ｂ（２７Ｂ）を自動貯玉するようにしたが、例えば、翌日の開店処理で実行するようにしても、同様の効果が得られることは言うまでもない。
【０２１９】
また、本実施例では、当日閉店処理時に当日持玉１７Ｂ（２７Ｂ）を貯玉残高２５Ｂに移行するようにしたが、当日持玉１７Ｂ（２７Ｂ）を貯玉残高２５Ｂに加算更新するタイミングであれば、当日閉店処理時に限定されるものでないことは言うまでもない。
【０２２０】
また、本実施例では、エラー警告、注意喚起警告や事前警告をカード取扱装置から表示出力するようにしたが、音声等で報知出力するようにしても、同様の効果が得られることは言うまでもない。
【０２２１】
また、本実施例では、当日閉店処理時の貯玉残高２５Ｂが貯玉上限閾値を超えた場合、使用制限フラグ２６ＢをＯＮ設定するようにしたが、会員管理ＤＢ２４内に会員の携帯電話機やＰＣのメールアドレスを管理していることから、会員管理装置５（５Ａ）は、例えば、そのメールアドレスに基づき、エラー警告を通知するようにしても良く、この場合、会員は、遊技店に赴かなくても、事前に貯玉上限閾値が超過していることを認識することができる。
【０２２２】
また、メールアドレスに基づきエラー警告を会員に通知するようにしても良いが、会員が閲覧可能なウェブサイト上でエラー警告を表示するようにしても良く、この場合でも、同様の効果が得られることは言うまでもない。
【０２２３】
また、本実施例では、説明の便宜上、当日閉店処理時にカードＩＤ単位で貯玉残高２５Ｂ及び当日持玉１７Ｂ（２７Ｂ）を抽出し、カードＩＤ毎に当日持玉１７Ｂ（２７Ｂ）を貯玉残高２５Ｂに自動貯玉するようにしたが、一括処理で全会員の自動貯玉を実行するようにしても良く、この場合、貯玉残高２５Ｂが貯玉上限閾値を超えたカードＩＤに対してのみ、使用制限フラグ２６ＢをＯＮ設定するようにしても良く、この場合でも、同様の効果が得られることは言うまでもない。
【０２２４】
以上、本発明の実施例について説明したが、本実施例によって本発明の技術的思想の範囲が限定されるものではなく、特許請求の範囲に記載した技術的思想の範囲を逸脱しない限り、各種様々な実施例が実施可能であることは言うまでもない。また、本実施例に記載した効果は、これに限定されるものではない。
【０２２５】
また、本実施例で説明した各種処理の内、自動的に行われるものとして説明した処理の全部又は一部を手動で行うことも可能であることは勿論のこと、その逆に、手動で行われるものとして説明した処理の全部又は一部を自動で行うことも可能であることは言うまでもない。また、本実施例で説明した処理手順、制御手順、具体的名称、各種データやパラメータを含む情報についても、特記した場合を除き、適宜変更可能であることは言うまでもない。
【０２２６】
また、図示した各装置の各構成要素は機能概念的に記載したものであって、必ずしも物理的に図示のように構成されるものではなく、その各装置の具体的な態様は図示のものに限縮されるものでは到底ないことは言うまでもない。
【０２２７】
さらに、各装置で行われる各種処理機能は、ＣＰＵ（Ｃｅｎｔｒａｌ  Ｐｒｏｃｅｓｓｉｎｇ  Ｕｎｉｔ）（又はＭＰＵ（Ｍｉｃｒｏ  Ｐｒｏｃｅｓｓｉｎｇ  Ｕｎｉｔ）、ＭＣＵ（Ｍｉｃｒｏ  Ｃｏｎｔｒｏｌｌｅｒ  Ｕｎｉｔ）等のマイクロ・コンピュータ）上、又は同ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【産業上の利用可能性】
【０２２８】
本発明の遊技媒体管理システム及び遊技媒体管理方法では、保有遊技媒体数を貯蓄遊技媒体数に累積加算して保有遊技媒体数の貯蓄遊技媒体数への移行を実行する際に、貯蓄遊技媒体数及び保有遊技媒体数の累積加算結果が貯蓄上限閾値を超えたとしても、保有遊技媒体数の貯蓄遊技媒体数への貯蓄を許容することで保有遊技媒体数の貯蓄不可による各種弊害を回避できると共に、会員用記録媒体に対応付けた特定識別子を付与管理することで、貯蓄上限閾値を超過しながら、継続的に遊技媒体数が貯蓄されてしまうような事態にも十分対処できるため、パチンコ店やパチスロ店等の遊技台管理システムに有用である。
【符号の説明】
【０２２９】
１  遊技台管理システム
１Ａ  遊技台管理システム
４  カード管理装置
５  会員管理装置
５Ａ  会員管理装置
１７  持玉ＤＢ
２４  会員管理ＤＢ
２５  貯玉残高ＤＢ
２６  使用制限フラグＤＢ
２７  持玉管理ＤＢ
２８  警告報知制御部
２９  会員カード取扱制御部
３０  会員管理制御部
３０Ａ  会員管理制御部
３１  貯玉管理制御部
３２  貯玉上限閾値判定部
３３  会員カード使用制限設定部
３４  使用制限フラグ判定部
３５  持玉管理制御部
３６  貯玉上限直前閾値判定部
３７  営業中貯玉上限閾値判定部
【図１】
2010213991.tif 000003
【図２】
2010213991.tif 000004
【図３】
2010213991.tif 000005
【図４】
2010213991.tif 000006
【図５】
2010213991.tif 000007
【図６】
2010213991.tif 000008
【図７】
2010213991.tif 000009
【図８】
2010213991.tif 000010
【図９】
2010213991.tif 000011
【図１０】
2010213991.tif 000012
【図１１】
2010213991.tif 000013
【図１２】
2010213991.tif 000014
【図１３】
2010213991.tif 000015
【図１４】
2010213991.tif 000016
【図１５】
2010213991.tif 000017
【図１６】
2010213991.tif 000018